(57)【要約】  物品収容部内のレイアウトを簡単に変更できる物品獲得ゲーム装置である。物品配置部４は、支持部９に支持される枠体１４と、枠体１４に取付けられる物品配置部材を備え、支持部９は、枠体１４の第１の係合部２４、２５が着脱可能に係合する第１の被係合部２８Ａ、２８Ｂが形成された第１の支持部材１８Ａ、１８Ｂと、枠体１４の第２の係合部２６、２７が着脱可能に係合する第２の被係合部２９Ａ、２９Ｂが上下方向に複数形成された第２の支持部材１９Ａ、１９Ｂを有し、第１の被係合部２８Ａ、２８Ｂは、第２の支持部材２９Ａ、２９Ｂに近づく方向に複数の係止部３９が配設され、第２の係合部２６、２７の係合位置に応じて、第１の係合部２４、２５を係止部３９のいずれかに係止させ、第１の係合部２４、２５の係合位置を決定する。
2009034903.tif 000002
【特許請求の範囲】
【請求項１】
物品を収容する物品収容部と、
前記物品収容部内に配置され、前記物品が配置される物品配置部と、
前記物品収容部内に配置され、前記物品配置部を支持する支持部と、
前記物品収容部内に移動可能に配置され、前記物品を取得可能な物品取得部と、
前記物品取得部を移動させる移動手段と、
前記物品収容部内に開口され且つ当該物品収容部の内部と外部とを連通し、前記物品を当該物品収容部の外部に排出可能な物品排出部と、
プレーヤが操作する操作手段と、
前記操作手段から入力された情報に応答して前記物品取得部の作動を制御する制御手段と、
を備えてなる物品取得ゲーム装置であって、
前記物品配置部は、前記支持部に着脱可能に支持される枠体と、当該枠体に着脱可能に取付けられ、前記物品が配置される物品配置部材と、を備え、
前記枠体は、第１の端部に第１の係合部が形成され、当該第１の端部と対向配置された第２の端部に第２の係合部が形成されてなり、
前記支持部は、前記第１の係合部が着脱可能に係合する第１の被係合部が形成された第１の支持部材と、前記第２の係合部が着脱可能に係合する第２の被係合部が上下方向に互いに間隔をおいて複数形成された第２の支持部材と、を有し、
前記第１の被係合部は、前記第２の支持部材に近づく方向に互いに間隔をおいて配設された複数の係止部を有し、前記第２の係合部が係合した第２の被係合部に応じて、前記第１の係合部を前記複数の係止部のいずれかに係止させることで当該第１の係合部の係合位置を決定する物品取得ゲーム装置。
【請求項２】
前記第１の支持部材は、前記第１の被係合部が上下方向に互いに間隔をおいて複数形成されてなる請求項１記載の物品取得ゲーム装置。
【請求項３】
前記枠体は、互いに間隔をおいて対向配置された一対の枠部材と、当該一対の枠部材の一端同士を連結する第１の連結枠部材と、により画定される略コ字状を有し、前記第１の係合部は、前記各々の枠部材と第１の連結枠部材との連結部近傍にそれぞれ形成されてなり、前記第２の係合部は、前記各々の枠部材の他端にそれぞれ形成されてなる請求項１または請求項２記載の物品取得ゲーム装置。
【請求項４】
前記枠体は、前記一対の枠部材を連結する第２の連結枠部材をさらに備えてなる請求項３記載の物品取得ゲーム装置。
【請求項５】
前記物品配置部材が棒状部材を備え、当該棒状部材は、前記一対の枠部材の間に移動可能に取付けられてなる請求項３または請求項４記載の物品取得ゲーム装置。
【請求項６】
前記物品配置部材が棒状部材を備え、前記棒状部材は、前記第１の連結枠部材と第２の連結枠部材との間に移動可能に取付けられてなる請求項４記載の物品取得ゲーム装置。
【請求項７】
前記棒状部材は、前記一対の枠部材の間、及び前記第１の連結枠部材と第２の連結枠部材との間に共通して取付け可能である請求項６記載の物品取得ゲーム装置。
【請求項８】
前記棒状部材を複数備えた請求項５ないし請求項７のいずれか一項に記載の物品取得ゲーム装置。
【請求項９】
前記物品配置部材は、前記棒状部材上に着脱可能に載置される板状部材をさらに備えてなる請求項５ないし請求項８のいずれか一項に記載の物品取得ゲーム装置。
【請求項１０】
前記物品配置部材が板状部材からなり、当該板状部材は、前記一対の枠部材の間に移動可能に取付けられてなる請求項３または請求項４記載の物品取得ゲーム装置。
【請求項１１】
前記物品配置部材が板状部材からなり、当該板状部材は、前記第１の連結枠部材と第２の連結枠部材との間に移動可能に取付けられてなる請求項４記載の物品取得ゲーム装置。
【請求項１２】
前記板状部材は、前記一対の枠部材の間、及び前記第１の連結枠部材と第２の連結枠部材との間に共通して取付け可能である請求項１１記載の物品取得ゲーム装置。
【請求項１３】
前記板状部材を前記棒状部材に着脱可能に取付けるための取付具をさらに備え、当該取付具は、弾性変形することにより、前記板状部材に形成された係合穴に挿入され、当該係合穴に挿入された際に弾性復元して前記板状部材に係合する請求項９ないし請求項１２のいずれか一項に記載の物品取得ゲーム装置。
【請求項１４】
前記板状部材を前記棒状部材に着脱可能に取付けるための取付具をさらに備え、当該取付具は、弾性変形することにより、前記棒状部材を挿入可能であり、当該棒状部材を挿入した際に弾性復元して前記棒状部材を把持する凹部を備えてなる請求項９ないし請求項１３のいずれか一項に記載の物品取得ゲーム装置。
【請求項１５】
前記各々の第１の被係合部は、前記第２の支持部材に近づく方向に延び且つ第１の係合部を受領する穴からなり、前記各々の係止部は、当該穴を画定する内壁の一部から形成されてなり、当該第１の係合部は、当該係止部を越えて前記穴内を移動可能であり、
前記第１の支持部材は、前記第１の係合部が移動可能であると共に、前記各々の穴の、前記枠体が配設された際に前記第１の端部側となる部分に連通する連通穴を備えてなる請求項２ないし請求項１４のいずれか一項に記載の物品取得ゲーム装置。
【請求項１６】
前記一対の枠部材は、ロック部材を介して前記第１の連結枠部材に、当該一対の枠部材の軸心と第１の連結枠部材の軸心とが同一平面上となるように固定されてなる請求項３記載の物品取得ゲーム装置。
【請求項１７】
前記第２の連結枠部材の両端は、ロック部材を介して前記一対の枠部材に、当該第２の連結枠部材の軸心と一対の枠部材の軸心とが各々同一平面上となるように各々固定されてなり、当該第２の連結枠部材は、前記ロック部材のロックが解除された際に前記一対の枠部材に沿って移動可能となる請求項４記載の物品取得ゲーム装置。
【請求項１８】
前記棒状部材の両端は、ロック部材を介して前記一対の枠部材に、当該棒状部材の軸心と一対の枠部材の軸心とが各々同一平面上で交わるように各々固定されてなり、当該棒状部材は、前記ロック部材のロックが解除された際に前記一対の枠部材に沿って移動可能となる請求項１０記載の物品取得ゲーム装置。
【請求項１９】
前記棒状部材の一端は、ロック部材を介して前記第１の連結枠部材に、当該棒状部材の他端は、ロック部材を介し前記第２の連結枠部材に、当該棒状部材の軸心と第１の連結枠部材の軸心及び第２の連結枠部材の軸心とが各々同一平面上で交わるように各々固定されてなり、当該棒状部材は、前記ロック部材のロックが解除された際に前記第１の連結枠部材及び第２の連結枠部材に沿って移動可能となる請求項１１記載の物品取得ゲーム装置。
【請求項２０】
前記板状部材の第１の側面に着脱可能に配設される第１のガード部材と、
前記板状部材の前記第１の側面に隣接する第２の側面に着脱可能に配設される第２のガード部材と、
前記第１のガード部材と、第２のガード部材との間に着脱可能に配設され、当該第１のガード部材と、第２のガード部材との間に形成された隙間の少なくとも一部を塞ぐ第３のガード部材と、
をさらに備えた請求項９ないし請求項１５、請求項１７、請求項１９のいずれか一項に記載の物品取得ゲーム装置。
【請求項２１】
前記板状部材の第１の側面に着脱可能に配設される第１のガード部材と、
前記板状部材の前記第１の側面に隣接する第２の側面に着脱可能に配設される第２のガード部材と、
をさらに備え、
前記第１のガード部材は、前記第２のガード部材に向けて延出し、前記第１のガード部材との間に形成される隙間の少なくとも一部を塞ぐ延出部を有してなる請求項９ないし請求項１５、請求項１７、請求項１９のいずれか一項に記載の物品取得ゲーム装置。
【請求項２２】
前記板状部材の第１の側面に着脱可能に配設される第１のガード部材を備え、当該第１のガード部材は、一端部が前記板状部材に着脱可能に固定され、他端が当該板状部材の下面に位置するよう湾曲してなる請求項９ないし請求項１５、請求項１７、請求項１９のいずれか一項に記載の物品取得ゲーム装置。
【請求項２３】
前記第１のガード部材は、前記板状部材の第１の側面に形成された螺子孔に螺合する螺子が貫通する貫通孔と、
前記板状部材に固定された際に、当該板状部材の第１の側面に形成された挿入孔に挿入される凸部と、
をさらに備えてなる請求項２２記載の物品取得ゲーム装置。
【発明の詳細な説明】
【技術分野】
【０００１】
本発明は、プレーヤが物品取得部を操作して、物品を取得する物品取得ゲーム装置に関する。
【背景技術】
【０００２】
従来から、物品収納部の内部に収納された物品（例えば、景品）の獲得を目的とするクレーンゲーム機のような物品取得ゲーム装置は、その操作に面白味があると共に、物品に人気のあるキャラクタ等を用いることでプレーヤ（遊技者）の挑戦意欲をそそるため、アミューズメントセンターは勿論のこと、一般の店舗やショッピングモール等にも多く設置されている。この物品獲得ゲーム装置では、プレーヤが物品取得部を移動させて、物品を載置する物品載置台上から物品を保持し、物品載置台の一端側に設けた物品投入ガイド等からなる物品落し口へ物品を移動させた後、この物品の保持を解除し、落下した物品を獲得するようになっている。【０００３】
このような物品取得ゲーム装置においては、物品載置台の傾きや量、積み方といった物品のレイアウトの仕方次第でゲームの難易度が変わってくることから、管理者（例えば、アミューズメントセンターや店舗等のサービス提供者等）によって、色々な配置が試されることが一般に多い。また、プレーヤ（客）の目を惹き、あるいは興味を惹くといった観点から、多数の物品を山積みしたり、物品落し口の傍に物品を配置したりといったように多様化したディスプレイが見かけられるようになっている。【０００４】
例えば、近年では、物品を載置する物品載置エリアと物品を落下させる開口エリアとを含むゲームフィールドと、物品保持部と、物品取出口と、物品誘導空間と、を含み、前記ゲームフィールドは、前記物品誘導空間上に設けられた支持部材に、着脱自在に配設される複数のパネル部材を有し、当該パネル部材の配設位置を変更することによって、前記物品誘導空間上で開口エリアのレイアウトを変更可能にした物品取得ゲーム装置も紹介されている。（例えば、特許文献１参照）。【０００５】
そしてまた、プレーヤが操作する操作手段と、複数の物品を収容する物品収容部と、前記物品を取得する物品取得部と、前記物品収容部内に設けられ、物品を前記物品収容部外へ排出する物品落し口と、前記操作手段からの操作信号に応答して前記物品取得部が作動するよう制御する制御手段と、前記制御手段の制御のもとに作動する前記物品取得部によって前記物品落し口から排出された物品を収容する排出物品収容部と、前記物品落し口の枠体をスライドさせて前記物品落し口の大きさを前記枠体のスライド量に応じて変更するスライド手段と、を備えることで、ユニット交換などの作業が不要で且つ容易に物品落し口の大きさを変更可能とした物品取得ゲーム装置も紹介されている。（例えば、特許文献２参照）。
【特許文献１】特開２００５−２０５１６９号公報
【特許文献２】特開２００６−１２２５１０号公報
【発明の開示】
【発明が解決しようとする課題】
【０００６】
前述した従来の物品獲得ゲーム装置では、物品落し口の枠体をスライドさせて物品落し口の大きさを前記枠体のスライド量に応じて変更したり、物品載置台を移動させることで物品収容部内のレイアウトを変更することが行われている。しかしながら、特許文献１及び引用文献２、あるいは他の従来の物品獲得ゲーム装置では、物品収容部内に水平に配設されていた物品載置台を斜めに傾けて、当該物品収容部内に配設させるレイアウトについては、何ら記載されておらず、その発想すら言及されていない。【０００７】
本発明は、このような事情に鑑みなされたものであり、物品収容部内に着脱可能に配設され且つ物品を配置可能な物品配置部に変化を持たせることができると共に、当該物品配置部を物品収容部内に水平に配設したり、斜めに傾けて配設する等、物品収容部内のレイアウトを簡単に変更することが可能である物品獲得ゲーム装置を提供することを目的とする。
【課題を解決するための手段】
【０００８】
この目的を達成するため本発明は、物品を収容する物品収容部と、前記物品収容部内に配置され、前記物品が配置される物品配置部と、前記物品収容部内に配置され、前記物品配置部を支持する支持部と、前記物品収容部内に移動可能に配置され、前記物品を取得可能な物品取得部と、前記物品取得部を移動させる移動手段と、前記物品収容部内に開口され且つ当該物品収容部の内部と外部とを連通し、前記物品を当該物品収容部の外部に排出可能な物品排出部と、プレーヤが操作する操作手段と、前記操作手段から入力された情報に応答して前記物品取得部の作動を制御する制御手段と、を備えてなる物品取得ゲーム装置であって、前記物品配置部は、前記支持部に着脱可能に支持される枠体と、当該枠体に着脱可能に取付けられ、前記物品が配置される物品配置部材とを備え、前記枠体は、第１の端部に第１の係合部が形成され、当該第１の端部と対向配置された第２の端部に第２の係合部が形成されてなり、前記支持部は、前記第１の係合部が着脱可能に係合する第１の被係合部が形成された第１の支持部材と、前記第２の係合部が着脱可能に係合する第２の被係合部が上下方向に互いに間隔をおいて複数形成された第２の支持部材とを有し、前記第１の被係合部は、前記第２の支持部材に近づく方向に互いに間隔をおいて配設された複数の係止部を有し、前記第２の係合部が係合した第２の被係合部に応じて、前記第１の係合部を前記複数の係止部のいずれかに係止させることで当該第１の係合部の係合位置を決定する物品取得ゲーム装置を提供するものである。【０００９】
この構成を備えた物品取得ゲーム装置は、第１の支持部材及び第２の支持部材により枠体を支持して物品収容部内に当該枠体を配置する際に、当該枠体に形成されている第２の係合部が係合する第２の被係合部を選択することで、当該枠体の第１の端部に対する第２の端部の相対的な配設高さを変更することができる。したがって、前記枠体を物品収容部内に斜めに傾けた状態で配設したり、水平な状態で配設したりすることができ、レイアウトを簡単に変更することができる。【００１０】
ここで、斜めに傾けた枠体を第１の支持部材及び第２の支持部材で支持する場合、水平な状態の枠体を第１の支持部材及び第２の支持部材で支持する場合に比べ、第１の係合部が係合する第１の被係合部と、第２の係合部が係合する第２の被係合部との距離が長くなるため、この斜めに傾けた枠体を第１の支持部材及び第２の支持部材で支持するためには、第１の支持部材と第２の支持部材との距離を短くする必要がある。しかしながら、本発明にかかる物品取得ゲーム装置では、前記第１の被係合部が、前記第２の支持部材に近づく方向に互いに間隔をおいて配設された複数の係止部を有しているため、当該第２の支持部材に近い側に形成された係止部に第１の係合部を係止させることで、第１の支持部材と第２の支持部材との距離を短くすることなく、斜めに傾けた枠体を第１の支持部材及び第２の支持部材で支持することができる。【００１１】
また、本発明にかかる物品取得ゲーム装置は、前記第１の支持部材に、前記第１の被係合部を上下方向に互いに間隔をおいて複数形成することができる。このように構成することで、枠体の傾きだけでなく、配設高さも変更することができ、また、枠体を上下に多段に配設することもできる。したがって、前記利点に加え、さらに変化に富んだレイアウトを実現することができる。【００１２】
本発明の一実施態様として、前記枠体は、互いに間隔をおいて対向配置された一対の枠部材と、当該一対の枠部材の一端同士を連結する第１の連結枠部材と、により画定される略コ字状を有し、前記第１の係合部は、前記各々の枠部材と第１の連結枠部材との連結部近傍にそれぞれ形成されてなり、前記第２の係合部は、前記各々の枠部材の他端にそれぞれ形成されてなる構成を備えることができる。この構成の場合、前記枠体は、前記一対の枠部材を連結する第２の連結枠部材をさらに備えることもできる。【００１３】
また、本発明の一実施態様として、前記物品配置部材は、棒状部材を備えることができる。この場合、前記枠体は、前記一対の枠部材の間に棒状部材が移動可能に取付けられた構成を備えることができる。あるいは、前記枠体は、前記第１の連結枠部材と第２の連結枠部材との間に棒状部材が移動可能に取付けられた構成を備えることもできる。そしてこれらの構成の場合、前記棒状部材は、前記一対の枠部材の間、及び前記第１の連結枠部材と第２の連結枠部材との間に共通して取付けることが可能な構成を備えることもできる。前記棒状部材は、複数配設することができ、この場合、隣接する棒状部材同士の間隔を、物品のサイズや形状等に合わせて調整することで、棒状部材上に物品を載置したり、棒状部材同士の間に物品を挟む等のレイアウトを行うことができる。【００１４】
前記棒状部材は、移動可能に取付けられているため、常に移動できる状態にしておいてもよく、任意の位置に移動させた後、この位置にロック（固定）させておいてもよい。前記棒状部材を常に移動できる状態にしておけば、物品取得部等で棒状部材に力を加えることで、棒状部材を移動させることができ、隣接する棒状部材同士の間隔を変更させて、掴み易くしたり、物品を落下させ易くする、あるいは落下させることもでき、ゲームに変化を持たせることもできる。また、棒状部材同士の間隔を狭くした領域と、広くした領域を作る等、レイアウトを任意に変更することもできる。この場合、棒状部材同士の間隔を広くした領域を、物品の落とし口とすることもできる。さらにまた、本発明にかかる物品取得ゲーム装置では、前記物品配置部材が、前記棒状部材上に載置される着脱可能な板状部材をさらに備えることもできる。【００１５】
そしてまた、本発明の一実施態様としては、前記物品配置部材が板状部材からなり、当該板状部材が前記一対の枠部材の間に移動可能に取付けられた構成を備えることもできる。あるいは、前記板状部材が前記第１の連結枠部材と第２の連結枠部材との間に移動可能に取付けられた構成を備えることもできる。そしてこれらの構成の場合、前記板状部材は、前記一対の枠部材の間、及び前記第１の連結枠部材と第２の連結枠部材との間に共通して取付けることが可能な構成を備えることもできる。この板状部材は、複数配設することができ、この場合、隣接する板状部材を同士の隙間（間隔）を、物品の落とし口とすることもできる。したがって、落とし口の位置やサイズを任意に変更することができる。【００１６】
また、本発明にかかる物品取得ゲーム装置は、前記板状部材を前記棒状部材に着脱可能に取付けるための取付具をさらに備え、当該取付具は、弾性変形することにより、前記板状部材に形成された係合穴に挿入され、当該係合穴に挿入された際に弾性復元して前記板状部材に係合する構成を備えることができる。また、前記取付具は、弾性変形することにより、前記棒状部材を挿入可能であり、当該棒状部材を挿入した際に弾性復元して前記棒状部材を把持する凹部を備えることもできる。このように、取付具を備えることで、例えば、ねじ止めやボルト止め等を行うことなく、前記板状部材を前記棒状部材にワンタッチで簡単に取付けることができる。【００１７】
また、本発明にかかる物品取得ゲーム装置は、前記第１の支持部材の上下方向に互いに間隔をおいて複数形成された各々の第１の被係合部が、前記枠体に形成された第１の係合部を受領する穴からなり、前記各々の係止部が、当該穴を画定する内壁の一部から形成されてなり、当該第１の係合部は、当該係止部を越えて前記穴内を移動可能であり、前記第１の支持部材は、前記第１の係合部が移動可能であると共に、前記各々の穴の、前記枠体が配設された際に前記第１の端部側となる部分に連通する連通穴を備えた構成を有することもできる。この構成を備えた物品取得ゲーム装置は、第１の支持部材に形成された連通穴を、前記枠体に形成された第１の係合部が移動することで、当該枠体の第１の端部を第１の支持部材の上下方向に移動させることができ、任意の高さに位置している第１の被係合部に、第１の係合部を係合させることができる。したがって、前記利点に加え、枠体の第１の端部の上下方向の位置を簡単に変更することができる。【００１８】
さらにまた、本発明の一実施態様としては、前記一対の枠部材が、ロック部材を介して前記第１の連結枠部材に、当該一対の枠部材の軸心と第１の連結枠部材の軸心とが同一平面上となるように固定されてなる構成を備えることができる。あるいは、前記第２の連結枠部材の両端が、ロック部材を介して前記一対の枠部材に、当該第２の連結枠部材の軸心と一対の枠部材の軸心とが各々同一平面上となるように各々固定されてなり、当該第２の連結枠部材は、前記ロック部材のロックが解除された際に前記一対の枠部材に沿って移動可能となる構成を備えることができる。これらの構成の場合、前記枠部材の径、第１の連結枠部材の径、第２の連結枠部材の径を略同一にすることで、枠部材、第１の連結枠部材、第２の連結枠部材の高さを略同一にすることができる。【００１９】
そしてまた、本発明の一実施態様としては、前記棒状部材の両端が、ロック部材を介して前記一対の枠部材に、当該棒状部材の軸心と一対の枠部材の軸心とが各々同一平面上で交わるように各々固定されてなり、当該棒状部材は、前記ロック部材のロックが解除された際に前記一対の枠部材に沿って移動可能となる構成を備えることができる。あるいは、前記棒状部材の一端が、ロック部材を介して前記第１の連結枠部材に、当該棒状部材の他端は、ロック部材を介し前記第２の連結枠部材に、当該棒状部材の軸心と第１の連結枠部材の軸心及び第２の連結枠部材の軸心とが各々同一平面上で交わるように各々固定されてなり、当該棒状部材は、前記ロック部材のロックが解除された際に前記第１の連結枠部材及び第２の連結枠部材に沿って移動可能となる構成を備えることができる。これらの構成の場合、前記枠部材の径、第１の連結枠部材の径、第２の連結枠部材の径、棒状部材の径を略同一にすることで、枠体と棒状部材の高さを略同一にすることができる。【００２０】
さらにまた、本発明にかかる物品取得ゲーム装置は、前記板状部材の第１の側面に着脱可能に配設される第１のガード部材と、前記板状部材の前記第１の側面に隣接する第２の側面に着脱可能に配設される第２のガード部材と、前記第１のガード部材と、第２のガード部材との間に着脱可能に配設され、当該第１のガード部材と、第２のガード部材との間に形成された隙間の少なくとも一部を塞ぐ第３のガード部材と、をさらに備えることができる。このように構成することで、前記物品取得部が移動した際に、当該物品取得部の一部（例えば、開閉アームの先端）が、前記第１のガード部材と第２のガード部材との間に挟まったり、板状部材を引っ掛けることを防止することができる。【００２１】
また、本発明にかかる物品取得ゲーム装置は、前記板状部材の第１の側面に着脱可能に配設される第１のガード部材と、前記板状部材の前記第１の側面に隣接する第２の側面に着脱可能に配設される第２のガード部材と、をさらに備え、前記第１のガード部材は、前記第２のガード部材に向けて延出し、前記第１のガード部材との間に形成される隙間の少なくとも一部を塞ぐ延出部を有することができる。このように構成することで、前記物品取得部が移動した際に、当該物品取得部の一部が、前記第１のガード部材と第２のガード部材との間に挟まったり、板状部材を引っ掛けることを防止することができる。【００２２】
そしてまた、本発明にかかる物品取得ゲーム装置は、前記板状部材の第１の側面に着脱可能に配設される第１のガード部材を備え、当該第１のガード部材は、一端部が前記板状部材に着脱可能に固定され、他端が当該板状部材の下面に位置するよう湾曲した構成を備えることもできる。このように構成することで、前記物品取得部が移動した際に、当該物品取得部の一部が、前記板状部材の底面（裏面）に引っ掛かることを防止することができる。また、この構成の場合、前記第１のガード部材は、前記板状部材の第１の側面に形成された螺子孔に螺合する螺子が貫通する貫通孔と、前記板状部材に固定された際に、当該板状部材の第１の側面に形成された挿入孔に挿入される凸部と、をさらに備えることができる。このようにすることで、仮に螺子が緩んだとしても、前記第１のガード部材は、凸部が挿入口に挿入されているため、前記板状部材から落下することを防止することができる。また、前記板状部材に第１のガード部材を螺子止めする際に、凸部を挿入孔に挿入しておくことができるため、当該板状部材に第１のガード部材を安定した状態で螺子止めすることができ、取付け作業性を向上することもできる。【００２３】
また、本発明にかかる物品取得ゲーム装置は、前記枠体を複数備えてなり、上段に配設される枠体の第２の係合部は、ロック部材を介して、下段に配設された枠体の枠部材に取付けられ、当該ロック部材は、前記第２の係合部に着脱可能に取付けられる上部ロック片と、前記下段の枠体の枠部材に着脱可能に取付けられる下部ロック片とを有し、当該下段の枠体の枠部材に取付けられた際に、当該下段の枠部材に対し揺動し、前記上段に配設される枠体の傾斜角度を変更可能とすることもできる。なお、前記ロック部材は、上部ロック片と下部ロック片を別部材から構成し、これらを螺子やボルト等の固定部材によって固定してもよく、上部ロック片と下部ロック片を一体的に構成してもよい。【００２４】
そしてまた、本発明にかかる物品取得ゲーム装置は、前記棒状体の両端に取付けられるロック部材を有してなり、当該ロック部材は、ベース板と、当該ベース板の上面に配設され且つ前記枠部材を当該ベース板の上面と共に挟持する上部ロック片と、当該ベース板の下面に配設され且つ当該棒状体の端部を当該ベース板の下面と共に挟持する下部ロック片と、前記ベース板、上部ロック片及び下部ロック片を連結する連結部材とを有し、前記下部ロック片は、前記上部ロック片に対し、前記連結部材を支点として相対的に回動し、前記枠部材に対する前記棒状体の配設角度を変更可能とすることもできる。【００２５】
また、本発明にかかる物品取得ゲーム装置は、前記棒状体の両端に取付けられるロック部材を有してなり、当該ロック部材は、ベース板と、当該ベース板の上面に配設され且つ前記棒状体の端部を当該ベース板の上面と共に挟持する上部ロック片と、当該ベース板の下面に配設され且つ前記枠部材を当該ベース板の下面と共に挟持する下部ロック片と、前記ベース板、上部ロック片及び下部ロック片を連結する連結部材とを有し、前記下部ロック片は、前記上部ロック片に対し、前記連結部材を支点として相対的に回動し、前記枠部材に対する前記棒状体の配設角度を変更可能とすることもできる。【００２６】
さらにまた、本発明にかかる物品取得ゲーム装置は、前記棒状体の両端に取付けられるロック部材を有してなり、当該ロック部材は、ベース板と、当該ベース板の上面に配設され且つ前記第１の連結枠部材または第２の連結枠部材を当該ベース板の上面と共に挟持する上部ロック片と、当該ベース板の下面に配設され且つ当該棒状体の端部を当該ベース板の下面と共に挟持する下部ロック片と、前記ベース板、上部ロック片及び下部ロック片を連結する連結部材とを有し、前記下部ロック片は、前記上部ロック片に対し、前記連結部材を支点として相対的に回動し、前記第１の連結枠部材または第２の連結枠部材に対する前記棒状体の配設角度を変更可能とすることもできる。【００２７】
なお、棒状体としては、例えば、パイプや、略円柱形のバー、略多角柱のバー等を挙げることができ、中空の棒状体であっても、中実（中身の詰まった）の棒状体であってもよい。
【発明の効果】
【００２８】
本発明にかかる物品取得ゲーム装置は、支持部により枠体を支持して物品収容部内に当該枠体を配置する際に、第２の係合部が係合する第２の被係合部を選択することで、当該枠体の第１の端部に対する第２の端部の相対的な配設高さを変更することができる。したがって、前記枠体を物品収容部内に斜めに傾けた状態で配設したり、水平な状態で配設したりすることができ、レイアウトを簡単に変更することができる。この結果、ゲームに変化を持たせることができ、プレーヤの目を惹き、興味を持たせることができる。
【図面の簡単な説明】
【００２９】
【図１】本発明の実施の形態１にかかる物品取得ゲーム装置の外観構成を示す斜視図である。
【図２】図１に示す物品配置部材からプレートを取り除いた状態を示す斜視図である。
【図３】図１に示す物品収納部内の一部を示す斜視図である。
【図４】図１に示す物品収納部内に配設される支持部の一部を拡大して示す側面図である。
【図５】図１に示す物品収納部内に配設される物品配置部を構成する部品を示す斜視図である。
【図６】図１に示す物品収納部内に配設される物品配置部を構成する部品を拡大して示す斜視図である。
【図７】図１に示す物品収納部内に配設される物品配置部を構成する部品を示す斜視図である。
【図８】図１に示す物品収納部内に配設される物品配置部を構成する部品を拡大して示す斜視図である。
【図９】図１に示す物品収納部内に配設される物品配置部を構成する部品を拡大して示す斜視図である。
【図１０】図１に示す物品収納部内に配設される物品配置部を構成する部品を示す斜視図である。
【図１１】図１に示す物品収納部内に配設される物品配置部を構成する部品を示す斜視図である。
【図１２】図１に示す物品収納部内に配設される物品配置部を構成する部品を示す斜視図である。
【図１３】図１に示す物品収納部内に配設される物品配置部を構成する部品を拡大して、後方から見た状態を示す斜視図である。
【図１４】図１３に示す物品収納部内に配設される物品配置部を前方から見た状態を示す斜視図である。
【図１５】図１に示す物品収納部内に配設される物品配置部を構成する部品を示す斜視図である。
【図１６】図１に示す物品収納部内に配設される物品配置部を構成する部品を示す斜視図である。
【図１７】図１に示す物品収納部内に配設される物品配置部を構成する部品を示す斜視図である。
【図１８】図１に示す物品取得部の構成を示す正面図である。
【図１９】図１８に示す物品取得部の一部を示す正面図である。
【図２０】図１８に示す物品取得部を左右方向（Ｘ方向）及び前後方向（Ｙ方向）へ移動させる水平移動装置周辺の構成を示す斜視図である。
【図２１】図１８に示す物品取得部を上下方向（Ｚ方向）に移動させる昇降装置の一部の構成を示す斜視図である。
【図２２】図１８に示す物品取得部を上下方向（Ｚ方向）に移動させる昇降装置の一部の構成を示す斜視図である。
【図２３】図１に示す物品取得ゲーム装置の内部構成を示すブロック図である。
【図２４】図１に示す物品取得ゲーム装置の実行処理手順の一部を示すフローチャートである。
【図２５】図１に示す物品取得ゲーム装置の実行処理手順の一部を示すフローチャートである。
【図２６】図１に示す物品収納部内に配設される他の物品配置部を構成する部品を拡大して示す斜視図である。
【図２７】図１に示す物品収納部内に配設される他の物品配置部を構成する部品を拡大して示す斜視図である。
【図２８】本発明の実施の形態２にかかる物品取得ゲーム装置の物品配置部を構成する部品を示す斜視図である。
【図２９】図２８に示すコーナーガードの斜視図である。
【図３０】図２９に示すコーナーガードの正面図である。
【図３１】コーナーガードを取付ける前の物品配置部の斜視図である。
【図３２】棒状部材に板状部材を配設した状態を示す斜視図である。
【図３３】本発明の他の実施の形態にかかる物品取得ゲーム装置の物品配置部を構成する部品を示す斜視図である。
【図３４】本発明の他の実施の形態にかかる物品取得ゲーム装置の物品配置部を構成する部品を示す斜視図である。
【図３５】本発明の他の実施の形態にかかる物品取得ゲーム装置の物品配置部を構成する部品を示す斜視図である。
【図３６】図３５に示すコーナーガードの斜視図である。
【図３７】本発明の他の実施の形態にかかる物品取得ゲーム装置の物品配置部を構成する部品を示す斜視図である。
【図３８】図３７に示すコーナーガードの斜視図である。
【図３９】図３８に示すコーナーガードの正面図である。
【図４０】本発明の他の実施の形態にかかる物品取得ゲーム装置の物品配置部を構成する部品を示す斜視図である。
【図４１】図４０に示すガード板の斜視図である。
【図４２】本発明の他の実施の形態にかかる物品取得ゲーム装置の物品配置部を構成する部品を示す斜視図である。
【図４３】図４２に示すガード板の斜視図である。
【図４４】図４３に示すガード板を板状部材に取付ける工程を示す図である。
【図４５】図４２に示す物品配置部の正面図である。
【図４６】本発明の実施の形態３にかかる物品取得ゲーム装置の物品収納部内の一部を示す側面図である。
【図４７】図４６に示す物品収納部内の一部のレイアウトを変更した状態を示す側面図である。
【図４８】図４６に示す物品取得ゲーム装置の構成要件であるロック部材が取付けられた枠体の一部を拡大して示す側面図である。
【図４９】図４７に示す物品取得ゲーム装置の構成要件であるロック部材が取付けられた枠体の一部を拡大して示す側面図である。
【図５０】図５０は、図４９に示すロック部材が枠体の構成要素である枠部材に取付けられた状態を拡大して示す側面図である。
【図５１】図４６に示すロック部材の斜視図である。
【図５２】図５１に示すロック部材の右側面図である。
【図５３】図５１に示すロック部材の左側面図である。
【図５４】図５１に示すロック部材の正面図である。
【図５５】図５１に示すロック部材の背面図である。
【図５６】図５１に示すロック部材の平面図である。
【図５７】図５１に示すロック部材の底面図である。
【図５８】図５１に示すロック部材の構成要素である上部ロック片の斜視図である。
【図５９】図５８に示す上部ロック片の右側面図である。
【図６０】図５８に示す上部ロック片の左側面図である。
【図６１】図５８に示す上部ロック片の正面図である。
【図６２】図５８に示す上部ロック片の背面図である。
【図６３】図５８に示す上部ロック片の平面図である。
【図６４】図５８に示す上部ロック片の底面図である。
【図６５】図５１に示すロック部材の構成要素である下部ロック片の斜視図である。
【図６６】図５１に示す下部ロック片の右側面図である。
【図６７】図５１に示す下部ロック片の左側面図である。
【図６８】図５１に示す下部ロック片の正面図である。
【図６９】図５１に示す下部ロック片の背面図である。
【図７０】図５１に示す下部ロック片の平面図である。
【図７１】図５１に示す下部ロック片の底面図である。
【図７２】本発明の実施の形態４にかかる物品取得ゲーム装置の物品収納部内の一部を示す斜視図である。
【図７３】図７２に示す物品収納部内の側面図である。
【図７４】図７２に示す物品収納部内の正面図である。
【図７５】図７２に示す物品収納部内の平面図である。
【図７６】図７５に示す物品収納部内の一部を拡大して示す平面図である。
【図７７】図７２に示す物品取得ゲーム装置の構成要件であるロック部材の斜視図である。
【図７８】図７７に示すロック部材の右側面図である。
【図７９】図７７に示すロック部材の左側面図である。
【図８０】図７７に示すロック部材の正面図である。
【図８１】図７７に示すロック部材の背面図である。
【図８２】図７７に示すロック部材の平面図である。
【図８３】図７７に示すロック部材の底面図である。
【図８４】図７７に示すロック部材の構成要素であるベース板の斜視図である。
【図８５】図８４に示すベース板の平面図である。
【図８６】図８４に示すベース板の側面図である。
【図８７】図７７に示すロック部材の構成要素である上部ロック片の斜視図である。
【図８８】図８７に示す上部ロック片の右側面図である。
【図８９】図８７に示す上部ロック片の左側面図である。
【図９０】図８７に示す上部ロック片の正面図である。
【図９１】図８７に示す上部ロック片の背面図である。
【図９２】図８７に示す上部ロック片の平面図である。
【図９３】図８７に示す上部ロック片の底面図である。
【図９４】図７７に示すロック部材の構成要素である下部ロック片の斜視図である。
【図９５】図９４に示す下部ロック片の右側面図である。
【図９６】図９４に示す下部ロック片の左側面図である。
【図９７】図９４に示す下部ロック片の正面図である。
【図９８】図９４に示す下部ロック片の背面図である。
【図９９】図９４に示す下部ロック片の平面図である。
【図１００】図９４に示す下部ロック片の底面図である。
【図１０１】図７７に示すロック部材の構成要素である連結螺子の斜視図である。
【図１０２】図１０１に示す連結螺子の側面図である。
【図１０３】図１０１に示す連結螺子の平面図である。
【図１０４】図１０１に示す連結螺子の底面図である。
【図１０５】本発明の他の実施の形態にかかるロック部材の斜視図である。
【図１０６】図１０５に示すロック部材の正面図である。
【図１０７】図１０５に示すロック部材の背面図である。
【図１０８】図１０５に示すロック部材の右側面図である。
【図１０９】図１０５に示すロック部材の左側面図である。
【図１１０】図１０５に示すロック部材の平面図である。
【図１１１】図１０５に示すロック部材の底面図である。
【図１１２】図１０５に示すロック部材の構成要素であるベース板の斜視図である。
【図１１３】図１１２に示すベース板の正面図である。
【図１１４】図１１２に示すベース板の背面図である。
【図１１５】図１１２に示すベース板の右側面図である。
【図１１６】図１１２に示すベース板の左側面図である。
【図１１７】図１１２に示すベース板の平面図である。
【図１１８】図１１２に示すベース板の底面図である。
【図１１９】本発明の他の実施の形態にかかるロック部材の斜視図である。
【図１２０】図１１９に示すベース板の右側面図である。
【図１２１】図１１９に示すベース板の左側面図である。
【図１２２】図１１９に示すベース板の正面図である。
【図１２３】図１１９に示すベース板の背面図である。
【図１２４】図１１９に示すベース板の平面図である。
【図１２５】図１１９に示すベース板の底面図である。
【符号の説明】
【００３０】
１…物品取得ゲーム装置、  １Ａ、１Ｂ…物品取得ゲーム領域、  ２…基台、  ３…物品収容部、  ４…物品配置部、  ５…物品取得部、  ６…水平移動装置、  ７…昇降装置、９…支持部、  １４…枠体、  １８Ａ、１８Ｂ…第１の支持部材、  １９Ａ、１９Ｂ…第２の支持部材、  ２４、２５…第１の係合部、  ２６、２７…第２の係合部、  ２８Ａ、２８Ｂ…第１の被係合部、  ２９Ａ、２９Ｂ…第２の被係合部、  ３１、６０５…棒状部材、  ３２、３３２…板状部材、  ３３、３４…枠部材、  ３５…第１の連結枠部材、３７、１３７、５００、６００…ロック部材、  ３９…係止部、  １００…物品落とし口、  ２４０、３４０、４４０…ガード板、  ２５０、３５０…コーナーガード、  ５１０、６２０…上部ロック片、  ５５０、６５０…下部ロック片、６０１…棒状体、  ６９０…連結螺子
【発明を実施するための最良の形態】
【００３１】
次に、本発明の好適な実施の形態にかかる物品取得ゲーム装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。【００３２】
（実施の形態１）
図１は、本発明の実施の形態１にかかる物品取得ゲーム装置の外観構成を示す斜視図、図２は、図１に示す物品配置部材からプレートを取り除いた状態を示す斜視図、図３は、図１に示す物品収納部内の一部を示す斜視図、図４は、図１に示す物品収納部内に配設される支持部の一部を拡大して示す側面図、図５〜図１７は、図１に示す物品収納部内に配設される物品配置部を構成する部品を示す斜視図、図１８は、図１に示す物品取得部の構成を示す正面図、図１９は、図１８に示す物品取得部の一部を示す正面図、図２０は、図１８に示す物品取得部を左右方向（Ｘ方向）及び前後方向（Ｙ方向）へ移動させる水平移動装置周辺の構成を示す斜視図、図２１及び図２２は、図１８に示す物品取得部を上下方向（Ｚ方向）に移動させる昇降装置の一部の構成を示す斜視図、図２３は、図１に示す物品取得ゲーム装置の内部構成を示すブロック図、図２４及び図２５は、図１に示す物品取得ゲーム装置の実行処理手順の一部を示すフローチャートである。なお、前記各図では、説明を判りやすくするため、各部材の厚さやサイズ、拡大・縮小率等は、実際のものとは一致させずに記載した。【００３３】
図１〜図２３に示すように、実施の形態１にかかる物品取得ゲーム装置１は、略長方体形状の基台２と、基台２の上に設けられた略箱型の物品収容部３（図１及び図２参照）と、物品収容部３内に着脱可能に配設され、図示しない物品（例えば、景品等）が配置される物品配置部４（図４〜図１７参照）と、物品収容部３内に配置され、物品配置部４を支持する支持部９（図１〜図４及び図１６参照）と、物品収容部３内の上側に配設され、物品収容部３内を左右方向（図１に示す矢印Ｘ方向）、前後方向（図１に示す矢印Ｙ方向）、及び上下方向（図１に示す矢印Ｚ方向）に移動可能である物品取得部５（図１、図２、図１８及び図１９参照）と、この物品取得部５をプレーヤの操作に応じて物品収容部３内で左右方向及び前後方向に移動させる水平移動装置６（図２０参照）と、物品取得部５を昇降させる昇降装置７（図２１及び図２２参照）と、を備えて構成されている。【００３４】
この物品取得ゲーム装置１は、図１〜図３に示すように、物品収容部３の内部が、図１及び図２でいう右側半分（物品収容部３の正面に向かって右側半分）の領域である物品取得ゲーム領域１Ａと、図１及び図２でいう左側半分の領域である物品取得ゲーム領域１Ｂとなっており、一度に２人のプレーヤがプレイ可能となっている。なお、実施の形態１では、物品取得ゲーム領域１Ａ及び１Ｂは、物品配置部４の配設状態が異なる（物品取得ゲーム領域１Ａでは傾斜した状態、物品取得ゲーム領域１Ｂでは水平な状態）以外は同様の構成を備えているため、物品取得ゲーム領域１Ａについて説明する。【００３５】
基台２には、操作卓１１が設けられており、この操作卓１１には、ゲームを行う際にコインを投入するためのコイン投入口１２が設けられている。また、この操作卓１１には、ゲーム時にプレーヤが、後述する物品取得部５を左右方向（Ｘ方向）の所望位置に移動させる操作を入力するための第１の操作スイッチ１３Ｘと、その後、プレーヤが物品取得部５を前後方向（Ｙ方向）の所望位置にまで移動させる操作を入力するための第２の操作スイッチ１３Ｙが設けられている。そして、第１の操作スイッチ１３Ｘ及び第２の操作スイッチ１３Ｙには、図示しない駆動基板に実装されている制御回路等を含む制御手段１００（図２３参照）が接続されている。【００３６】
また、基台２の前面側には、後に詳述する物品排出部２０と連通する物品取出口１５が設けられており、物品排出部２０から排出された物品を、この物品取出口１５から取り出し得るようになされている。【００３７】
さらにまた、基台２の前面側には、開閉扉１６が設けられている。そしてこの開閉扉１６を開けた内側には、この物品取得ゲーム装置１に対して各種設定等を行うためのスイッチパネル（図示せず）や液晶タッチパネル（図示せず）等が収納されており、管理者がこれらスイッチパネルや液晶タッチパネルの表示内容を目視確認しながら、各種事項を所望状態に設定することができるようになされている。【００３８】
物品収容部３は、その内部に収容された物品をプレーヤが目視することができるよう、前面及び両側面が透明な樹脂またはガラスの板状部材から形成されている。また、物品収容部３の背面１７は、パネル板、鏡面状の板状部材、装飾が施された板状部材等により形成されている。この物品収容部３には、例えば、引戸または観音開き方式の扉（図示せず）が設けられており、店舗の店員がこの扉を開けてキャラクタ等のぬいぐるみや、雑貨等の物品（景品）を物品収容部３内に収容することができるようになされている。【００３９】
また、この物品収容部３の床面の前面側には、物品収容部３内に開口され且つ物品取出口１５と連通し、後に詳述する物品配置部４から落下した物品を受領して物品取出口１５に排出するための物品排出部２０が形成されている。【００４０】
支持部９は、図１〜図４及び図１６に示すように、物品収容部３内の背面１７側且つ右側の角部に配設された第１の支持部材１８Ａと、物品収容部３内の背面１７の図１及び図２に示すＸ方向略中央部に各々配設された第１の支持部材１８Ｂと、物品収容部３内の前面側且つ右側の角部に配設された第２の支持部材１９Ａと、物品収容部３内の前面の図１及び図２に示すＸ方向略中央部に各々配設された第２の支持部材１９Ｂと、を備えて構成されている。すなわち、物品取得ゲーム領域１Ａの四隅のうち、物品収容部３内の背面１７側の各々の隅に第１の支持部材１８Ａ及び１８Ｂが、前面側の各々の隅に第２の支持部材１９Ａ及び１９Ｂがそれぞれ配設されている。【００４１】
第１の支持部材１８Ａ及び１８Ｂは、後に詳述する物品配置部４の構成要素である枠体１４の第１の端部に形成された第１の係合部２４及び２５（図３、図４、図１１、図１２、図１５及び図１７参照）が各々挿入されて着脱可能に係合する第１の被係合部２８Ａ及び２８Ｂが上下方向に互いに所定の間隔をおいて複数配設されている。【００４２】
第１の被係合部２８Ａ及び２８Ｂは、第２の支持部材１９Ａ及び１９Ｂに各々近づく方向に延び且つ第１の係合部２４及び２５を受領する長穴から形成されている。そして、この第１の被係合部２８Ａ及び２８Ｂ（長穴）の下縁を画定する内壁には、第２の支持部材１９Ａ及び１９Ｂに各々近づく方向に互いに間隔をおいて配設され、第１の被係合部２８Ａ及び２８Ｂに各々挿入された第１の係合部２４及び２５を係止する複数の係止部３９（図４参照）が形成されている。なお、第１の被係合部２８Ａ及び２８Ｂに挿入された第１の係合部２４及び２５は、係止部３９を越えて第１の被係合部２８Ａ及び２８Ｂ内を各々移動可能である。また、後に詳述するが、第１の被係合部２８Ａ及び２８Ｂは、第２の支持部材１９Ａ及び１９Ｂに近づく方向に延びる長穴から形成されることにより、枠体１４が物品収容部３内に斜めに傾斜した状態で取付けられる際に、第１の係合部２４及び２５の略水平方向の位置を決定するための調整代となる。【００４３】
また、第１の支持部材１８Ａ及び１８Ｂには、第１の被係合部２８Ａ及び２８Ｂの背面１７側（すなわち、支持部９に枠体１４が配設された際に枠体１４の第１の端部側となる部分）に連通すると共に、第１の係合部２４及び２５が移動可能に挿入される連通穴２１Ａ及び２１Ｂが各々形成されている。この構成により、第１の係合部２４及び２５は、連通穴２１Ａ及び２１Ｂを介して、複数の第１の被係合部２８Ａ及び２８Ｂのうち、任意の高さに形成された第１の被係合部２８Ａ及び２８Ｂに挿入可能となる。【００４４】
第２の支持部材１９Ａ及び１９Ｂは、後に詳述する物品配置部４の構成要素である枠体１４の第２の端部に形成された第２の係合部２６及び２７（図３、図１１、図１２、図１５〜図１７参照）が各々挿入されて着脱可能に係合する第２の被係合部２９Ａ及び２９Ｂが上下方向に互いに所定の間隔をおいて複数配設されている。第２の被係合部２９Ａ及び２９Ｂは、第２の支持部材１９Ａ及び１９Ｂに各々形成された凹部から形成されており、これらの凹部に第２の係合部２６及び２７が挿入された際に、第２の係合部２６及び２７の端面が凹部の底面（凹部を確定する前側の壁）に当接するように構成されている。【００４５】
物品配置部４は、支持部９に着脱可能に支持される枠体１４と、枠体１４の任意の位置に着脱可能に取付けられる棒状部材３１と、枠体１４に配設された棒状部材３１上に着脱可能に配設される板状部材３２と、を備えている。なお、実施の形態１では、棒状部材３１と板状部材３２により物品配置部材を構成している。【００４６】
枠体１４は、互いに間隔をおいて対向配置された一対の枠部材３３及び３４と、枠部材３３及び３４の一端同士を連結する第１の連結枠部材３５を備えており、枠部材３３及び３４と第１の連結枠部材３５とにより画定される略コ字状を有している。【００４７】
枠部材３３及び３４は、円筒形状のパイプ材からなり、一方の先端には、図８及び図９に示すロック部材３７が固定されている。また、枠部材３３及び３４の他方の先端は、枠体１４の第２の端部を構成しており、第２の係合部２６及び２７を各々構成している。ロック部材３７は、枠部材３３及び３４の一端（パイプ材の中空部分）に挿入されて固定される略円筒形の挿入部１３８と、挿入部１３８の先端に形成され、第１の連結枠部材３５（後に詳述する棒状部材３１、棒状部材３１にロック部材３７を固定した場合は、枠部材３３及び３４）を受領する凹部１３２が形成された受領部１３３と、受領部１３３の先端に回動軸１３４によって回動可能に取付けられ、凹部１３２を塞ぐように位置した際に、凹部１３２に受領された第１の連結枠部材３５を受領部１３３と共に把持してロックするロックレバー１３５とを備えている。【００４８】
ロックレバー１３５は、回動軸１３４によって軸支される部分が略円筒形状を有し、図９に示すように、凹部１３２を塞ぐように位置した際に、この略円筒部１３６が、凹部１３２内に入り込むことで、凹部１３２に受領された第１の連結枠部材３５を押圧し、第１の連結枠部材３５をロックするよう構成されている。なお、枠部材３３及び３４は、凹部１３２に第１の連結枠部材３５を受領した状態で、ロックレバー１３５による押圧を解放すれば（図８に示す状態）、第１の連結枠部材３５の外周面上をスライドして任意の位置に移動可能となる。また、凹部１３２は、ロックレバー１３５が凹部１３２を塞ぐように位置した際に、側面視（図８及び図９に示す）で略円形を有しており、その略中心が、挿入部１３８の軸心と略同一線上となるように形成されている。この構成により、挿入部１３８を枠部材３３及び３４の一端に挿入した際には、凹部１３２の略中心と、枠部材３３及び３４の軸心と、凹部１３２に受領された第１の連結枠部材３５の軸心とが、略同一線上となる。これより、枠部材３３及び３４の径と、第１の連結枠部材３５の径を略同一とすることで、枠部材３３及び３４の外周面と、第１の連結枠部材３５の外周面を面一にする（置略同一平面上に位置させる）ことができる。【００４９】
第１の連結枠部材３５は、枠体１４の第１の端部を構成するものであり、枠部材３３及び３４と同様の円筒形状のパイプ材から構成されている。第１の連結枠部材３５の両端部には、ロック部材３７によって枠部材３３及び３４が固定されており、第１の連結枠部材３５の両端部のロック部材３７から外側に延出した部分が、第１の係合部２４及び２５をそれぞれ構成している。【００５０】
棒状部材３１は、図７に示すように、枠部材３３及び３４と同様の円筒形状のパイプ材からなり、その両端には、図８及び図９に示すロック部材３７が固定されている。この棒状部材３１は、例えば、図１１、図１２及び図１７に示すように、枠部材３３及び３４の他端（枠体１４の第２の端部側）にロック部材３７を介して固定してもよい。この棒状部材３１は、枠部材３３及び３４の他端同士を連結する第２の連結枠部材としての役割を果たすことができる。なお、この場合、棒状部材３１は、枠部材３３及び３４の他端に第２の係合部２６及び２７を形成する領域を残して固定する。そして、この構成の場合、枠部材３３及び３４、第１の連結枠部材３５、枠部材３３及び３４の他端に取付けられた棒状部材３１（第２の連結枠部材）により、略四角形の枠体を構成してもよい。【００５１】
また、棒状部材３１は、図２、図３、図１２及び図１５〜図１７に示すように、枠部材３３及び３４の任意の位置に取付けてもよく、図１１に示すように、第１の連結枠部材３５と、枠部材３３及び３４の他端に取付けられた棒状部材３１（第２の連結枠部材）の任意の位置に取付けてもよい。【００５２】
なお、枠部材３３及び３４との距離と、第１の連結枠部材３５と、枠部材３３及び３４の他端に取付けられた棒状部材３１（第２の連結枠部材）との距離を等しくすることで、棒状部材３１を、枠部材３３と枠部材３４との間、及び第１の連結枠部材３５と枠部材３３及び３４の他端に取付けられた棒状部材３１（第２の連結枠部材）との間に共通して取付けることができる。【００５３】
また、棒状部材３１は、ロック部材３７の凹部１３２に枠部材３３及び３４、あるいは第１の連結枠部材３５及び第２の連結枠部材としての棒状部材３１を受領した状態で、ロックレバー１３５による押圧を解放しておけば（図８に示す状態）、枠部材３３及び３４の外周面上、あるいは第１の連結枠部材３５及び第２の連結枠部材としての棒状部材３１の外周面上をスライドして任意の位置に移動可能となる。したがって、後に上述する物品取得部５の把持アーム５１Ａ及び５１Ｂによって、この移動可能な状態の棒状部材３１に力を加えることで、棒状部材３１を移動させることもでき、ゲームに変化を持たせることができる。【００５４】
板状部材３２は、物品を載置するプレート１２１と、プレート１２１の底面に着脱可能に配設され、棒状部材３１に着脱可能に取付けられる取付具１２２を備えている。プレート１２１は任意のサイズを有しており、その所定位置には、後に詳述する取付具１２２の爪部１２３が挿脱可能に挿入される爪部挿入穴１２４が、プレート１２１の厚さ方向に貫通形成されている。（特に、図５及び図６参照）。【００５５】
取付具１２２は、棒状部材３１を受領する凹部１２５が形成された受領部１２６と、受領部１２６の上部に突出形成された爪部１２３とを備えている。受領部１２６は、弾性変形することにより凹部１２５内に棒状部材３１を受領し、その弾性復元力によって、受領した棒状部材３１を把持する。爪部１２３は、受領部１２６の上面に、互いに間隔をおいて対向して立設された一対の爪片１２３Ａ及び１２３Ｂを有しており、爪片１２３Ａ及び１２３Ｂの先端には、略９０度の角度で外側に屈曲された屈曲部１２６Ａ及び１２６Ｂが形成されている。これらの爪片１２３Ａ及び１２３Ｂは、互いに近づく方向に弾性変形されることで、爪部挿入穴１２４に挿入され、その弾性復元力によってプレート１２１に固定される。この時、屈曲部１２６Ａ及び１２６Ｂがプレート１２１の上面に当接し、爪部１２３は、プレート１２１に確実に固定される。【００５６】
この板状部材３２は、例えば、プレート１２１を平面視で略長方形とし、その長辺を棒状部材３１とほぼ同一の長さに設定すれば、プレート１２１の長辺となる端部に沿って取付具１２２を配設し、例えば、図３、図５、図１５及び図１６に示すように、取付具１２２を介して棒状部材３１に固定することができ、枠部材３３と枠部材３４との間を所定の幅で埋める（物品載置面を形成する）ことができる。そして、プレート１２１が配設されていない領域を物品落とし口１２０とすることができる。また、例えば、プレート１２１を平面視で略正方形とした場合、図１０に示すように、プレート１２１を、棒状部材３１の長手方向の任意の位置に固定することができる。この場合、図１、図１２及び図１７に示すように、プレート１２１が配設されない領域を物品落とし口１２０とすることができる。このように、プレート１２１のサイズを任意に選択する（変更する）ことで、物品落とし口１２０の位置やサイズを簡単に変更することができる。【００５７】
また、図１１に示すように、棒状部材３１を、第１の連結枠部材３５と、枠部材３３及び３４の他端に取付けられた棒状部材３１（第２の連結枠部材）との間に取付けた場合も、任意のサイズの板状部材３２を配設することができる。そしてまた、図１１に示すように、板状部材３２の両側に、プレート１２１から物品が落下することを防止するガード板１２７を配設してもよく、図１２に示すように、物品落とし口１２０を画定するプレート１２１の側面に、物品投入ガイド板１２８を配設してもよい。また、物品配置部を多段に配設し、上下いずれかに配設された枠部材３３及び３４に配設した棒状部材３１をガード板１２７の代わりにしてもよい。なお、この場合は、棒状部材３１の一端を枠部材３３に取付け、他端を枠部材３４に取付けて、これらの棒状部材３１にプレート１２１を載置した構成であることが、物品取得部５の把持アーム５１Ａ及び５１Ｂの開閉動作上好ましい。【００５８】
さらにまた、板状部材３２の側面には、図１７に示すように、後に詳述する物品取得部５の把持アーム５１Ａ及び５１Ｂが引かかることを防止するためのテーパ面１２９を形成することもできる。このテーパ面１２９は、その先端が内側に入るようにプレート１２１を斜めに折り曲げて形成してもよく、板状部材３２の側面に別途取付けてもよい。このようにテーパ面１２９を形成することで、例えば、把持アーム５１Ａ及び５１Ｂが閉じようとした際に、板状部材３２の側面に接触しても、把持アーム５１Ａ及び５１Ｂの先端に固定された爪５６Ａ及び５６Ｂが、テーパ面１２９に誘導され、板状部材３２に引かかることなく、正常な動作で閉じることができる。なお、このテーパ面１２９は、把持アーム５１Ａ及び５１Ｂが比較的引かかり易くなると予想される物品落とし口１２０を画定する板状部材３２の側面に配設することが特に好ましい。また、テーパ面１２９の代わりに湾曲面を形成してもよい。【００５９】
また、板状部材３２には、例えば、図１３及び図１４に示すように、物品収容部３内の背面１７や側面の近傍、あるいは物品取得ゲーム領域１Ａと物品取得ゲーム領域１Ｂとの間等に、上下に配設された支持バー１３０及び１３１に係合し、板状部材３２を支持バー１３０及び１３１に着脱可能に固定する固定具１４０を配設することもできる。この固定具１４０は、略長方体を有する本体１４１の上部から延出し、板状部材３２の下面に着脱可能に固定されて板状部材３２を支持する支持部１４２と、本体１４１の上部に形成され且つ支持バー１３０を受領して支持バー１３０に係合する凹部１４３と、本体１４１の下部に形成され且つ支持バー１３１を受領して支持バー１３１に係合する凹部１４４を有している。この固定具１４０は、例えば、図１３及び図１４に示すように、凹部１４３及び１４４を支持バー１３０及び１３１に各々係合し、支持バー１３０及び１３１に取付けられる。また、支持バー１３０が１本の場合には、凹部１４３または凹部１４４を支持バー１３０に係合させ、固定具１４０の背面１４６と、背面１７（あるいは、物品収容部３内に存在している壁）との距離を調整することで、板状部材３２を任意の角度で斜めに傾斜させて配設することもできる。なお、支持バー１３０及び１３１には、物品をぶら下げたり、引っかけたりすることもできる。【００６０】
そしてまた、物品配置部４は、例えば、図１５〜図１７に示すように、物品収容部３内に多段に配設してもよい。この場合、上段に配設した物品配置部４の配設角度と、下段に配設した物品配置部４の配設角度は、任意に決定することができ、レイアウトの種類に幅を持たせることができる。【００６１】
なお、上述した物品配置部４を支持部９に支持させる方法の１つとして、先ず、枠体１４に形成された第１の係合部２４及び２５を、第１の支持部材１８Ａ及び１８Ｂに形成された連通穴２１Ａ及び２１Ｂに各々挿入し、連通穴２１Ａ及び２１Ｂ内を上下方向に移動させて、複数の第１の被係合部２８Ａ及び２８Ｂのうちから所望の高さに位置している第１の被係合部２８Ａ及び２８Ｂを選択し、これらの第１の被係合部２８Ａ及び２８Ｂに、第１の係合部２４及び２５を各々仮に係合させる。次に、第２の支持部材１９Ａ及び１９Ｂに形成された複数の第２の被係合部２９Ａ及び２９Ｂのうちから所望の高さに位置している第２の被係合部２９Ａ及び２９Ｂを選択し、選択した第２の被係合部２９Ａ及び２９Ｂに第２の係合部２６及び２７を各々挿入して係合させる。【００６２】
この時、選択された第１の被係合部２８Ａ及び２８Ｂと、第２の係合部２６及び２７との高さの差がある場合（枠体１４が斜めに傾斜された状態の場合）は、選択された第１の被係合部２８Ａ及び２８Ｂと、第２の被係合部２９Ａ及び２９Ｂとが同じ高さにある場合（枠体１４が水平に設置される場合）よりも、選択された第１の被係合部２８Ａ及び２８Ｂと、第２の被係合部２９Ａ及び２９Ｂとの距離が長くなる。ここで、第１の被係合部２８Ａ及び２８Ｂは、第２の支持部材１９Ａ及び１９Ｂに近づく方向に延出した長穴から形成されており、この方向には、複数の係止部３９が互いに間隔をおいて形成されている（図４参照）ため、第１の係合部２４及び２５を、選択された第１の被係合部２８Ａ及び２８Ｂ内で、係止部３９を越えて第２の係合部２６及び２７側に移動させることができるため、枠体１４の長さを変更することなく、第１の係合部２４及び２５の位置を第１の被係合部２８Ａ及び２８Ｂ内の所定位置に係合させることができる。【００６３】
このようにして支持部９に支持された枠体１４は、第２の係合部２６及び２７が、第２の被係合部２９Ａ及び２９Ｂの底面（凹部の底面）に当接し、第２の係合部２６及び２７が、第２の被係合部２９Ａ及び２９Ｂから抜け落ちることが防止される。また、第１の係合部２４及び２５は、第１の被係合部２８Ａ及び２８Ｂ内に形成された所定の係止部３９に係止され、第１の被係合部２８Ａ及び２８Ｂから抜け落ちることが防止される。したがって、枠体１４は、支持部９に安定した状態で支持される。【００６４】
なお、物品配置部４を支持部９に支持させる場合は、上述したように、先ず、枠体１４を支持部９に支持させた後、枠体１４の任意の位置に棒状部材３１や板状部材３２を配設してもよく、予め棒状部材３１を配設した枠体１４、予め棒状部材３１及び板状部材３２を配設した枠体１４を支持部９に支持させてもよい。また、実施の形態１では、第１の被係合部２８Ａ及び２８Ｂを長穴から形成したため、第１の係合部２４及び２５は、第１の連結枠部材３５の両端によって形成することができ、第１の係合部２４及び２５を形成するための加工を別途行う必要がなく、枠体１４の構造を簡略化することができる。また、第２の被係合部２９Ａ及び２９Ｂを凹部から形成しているため、第２の係合部２６及び２７は、枠部材３３及び３４の各々の端部によって形成することができ、第２の係合部２６及び２７を形成するための加工を別途行う必要がなく、枠体１４の構造を簡略化することができる。【００６５】
また、物品配置部４は、枠体１４と棒状部材３１によって構成してもよい。この構成の場合、例えば、棒状部材３１の配設する間隔を狭くし、棒状部材３１と、この棒状部材３１に隣接する棒状部材３１との間に、物品を挟んだり、引っかけたりして配置することができる。この構成では、例えば、物品がぬいぐるみのような弾性のある物の場合、物品取得部５等によって、物品に所定の力を加えることで、物品を落下させることができる。また、前述したように、棒状部材３１を、枠部材３３及び３４、あるいは第１の連結枠部材３５及び第２の連結枠部材としての棒状部材３１に対し、移動可能に配設しておけば、物品取得部５の把持アーム５１Ａ及び５１Ｂによって、棒状部材３１を移動させて、棒状部材３１間の距離を拡げることで、物品を落下させることもできる。そしてまた、棒状部材３１の配設する間隔を狭くすれば、板状部材３２を配設せずに、並設された棒状部材３１の上に物品を配置することもできる。【００６６】
前述したように、物品配置部４は、物品収容部３内に、水平な状態に配置したり、斜めに傾けて配置したりすることができ、レイアウトに変化を持たせることができる。物品配置部４を傾斜して配設させる場合、物品配置部４の傾斜の下方に物品落とし口１２０を配置すれば、物品配置部４の傾斜が急峻になるように配設することで、物品が板状部材３２（あるいは棒状部材３１）上を転がり易くなり、物品を物品落とし口１２０に落下させ易くすることができる。また、物品配置部４の傾斜が急峻な場合、ガード板１２７を配設しなければ、この物品配置部４に落下した物品は、板状部材３２（あるいは棒状部材３１）上を転がり、物品排出部２０に到達させることもできるため、模擬物品落とし口の役割を果たすこともできる。そしてまた、物品配置部４の傾斜を緩やかにすれば、物品を物品落とし口１２０に落下させ難くすることができる。したがって、ゲームの難易度を調整することができる。また、棒状部材３１同士の間に物品を挟むあるいは引っかけるレイアウトの場合は、棒状部材３１同士の間の距離を調整することで、ゲームの難易度を調整することができる。【００６７】
物品取得部５は、特に図１８及び図１９に示すように、動力源としてのモータ５０と、このモータ５０の回転出力に基づいて一対の把持アーム５１Ａ及び５１Ｂを開閉駆動するアーム開閉部５２と、把持アーム５１Ａ及び５１Ｂにより物品を把持する際の最大把持力を決定するばね部５３Ａ及び５３Ｂとを有しており、モータ５０を含む一部分がカバー５８に覆われている。把持アーム５１Ａ及び５１Ｂは、それぞれ基端部材５４Ａ及び５４Ｂを介してブラケット５５Ａ及び５５Ｂに各々傾動可能且つ着脱自在に取り付けられており、これらの把持アーム５１Ａ及び５１Ｂの開放端には、爪５６Ａ及び５６Ｂが各々固定されている。モータ５０は、図２３に示す制御手段１００に接続されており、制御手段１００によって、その駆動が制御されている。なお、実施の形態１では、これらの把持アーム５１Ａ及び５１Ｂは、左右方向（Ｘ方向）に開閉するよう構成されている。【００６８】
モータ５０の出力軸の先端部にはピニオン６１が取付けられると共に、アーム開閉部５２の内面には、このピニオン６１と噛み合うように、ばね部５３Ａ及び５３Ｂと略並行にラック６２が固着されており、モータ５０を正転駆動または逆転駆動することによって、ラック６２と一体にアーム開閉部５２を基端部材５４Ａ及び５４Ｂに向かう方向またはこれと逆方向に移動させ得るようになされている。さらにばね部５３Ａ及び５３Ｂは、コイルばね６３と棒状のピン６４とから構成されており、ピン６４の一端がアーム開閉部５２に設けられたばね受け部材６５に取付けられている。また、ピン６４の他端は、コイルばね６３の一端６３Ａからコイルばね６３の中に挿入されて固定されており、ピン６４のほぼ中央部には、コイルばね６３の他端６３Ｂから抜け落ちることを防止するための図示しない係止部が形成されている。【００６９】
このような構成により、把持アーム５１Ａ及び５１Ｂの開動作時に、基端部材５４Ａ及び５４Ｂがアーム開閉部５２に押されて把持アーム５１Ａ及び５１Ｂを開放させる方向に移動する際に、ピン６４の係止部がコイルばね６３の他端６３Ｂに到達するまで、コイルばね６３を伸長させることなくピン６４が開放方向に移動するので、コイルばね６３が伸びて付勢力を発生することを防止できる。また、ラック６２の移動によりアーム開閉部５２に設けられたばね受け部材６５が移動して、コイルばね６３を伸長させようとした際に、前記係止部がコイルばね６３の他端６３Ｂに到達するまで、ピン６４のみがアーム開閉部５２と共に移動することで、コイルばね６３が伸びることを防止できる。【００７０】
この物品取得部５は、初期状態では、把持アーム５１Ａ及び５１Ｂが閉じられている。そして把持アーム５１Ａ及び５１Ｂの開放動作時は、モータ５０が正転駆動することにより、ピニオン６１が時計方向に回転し、これによりラック６２及びアーム開閉部５２が基端部材５４Ａ及び５４Ｂに向かって移動する。この結果、アーム開閉部５２の一端部に基端部材５４Ａ及び５４Ｂが押されて把持アーム５１Ａ及び５１Ｂが開放する。一方、把持アーム５１Ａ及び５１Ｂの閉動作時は、モータ５０が逆転駆動することにより、ピニオン６１が反時計方向へ回転し、これによりラック６２及びアーム開閉部５２が物品取得部５の中央部に向かって移動する。この結果、このアーム開閉部５２の移動に伴って把持アーム５１Ａ及び５１Ｂが閉じられる。なお、モータ５０は、ラック６２及びアーム開閉部５２が初期状態の位置に来るまで回転を続ける。【００７１】
また、物品取得部５の上部には、物品取得部５を昇降させる昇降装置７が取付けられている。昇降装置７は、特に図２１及び図２２に示すように、物品取得部５の上部に取付けられ且つ上下方向に伸縮可能な伸縮部７０と、伸縮部７０の上部に固定され且つ伸縮部７０を伸縮させて物品取得部５の昇降を行う昇降部８０とを備えている。【００７２】
伸縮部７０は、図２１に示すように、順次小径となる４本のパイプ７１Ａ〜７１Ｄを入子式に摺動自在に嵌合させたものである。物品取得部５側に配設されたパイプ７１Ｄの下端には、カプラ７３のボス７４が嵌入固定されている。このカプラ７３の先には、ブラケット８９（図１８参照）を介して物品取得部５が連結されている。この伸縮部７０は、４本のパイプ７１Ａ〜７１Ｄを入子式に摺動させて全体の長さ（上下方向の長さ）を変更することで、物品取得部５を昇降させる。【００７３】
具体的には、パイプ７１Ａ〜７１Ｃには、軸方向に延びた長穴７２Ａ〜７２Ｃが各々形成されている。パイプ７１Ｂの上部には、長穴７２Ａを貫通して長穴７２Ａを上下方向に移動可能な貫通ピン６６Ｂが固定され、パイプ７１Ｃの上部には、長穴７２Ｂを貫通して長穴７２Ｂを上下方向に移動可能な貫通ピン６６Ｃが固定され、パイプ７１Ｄの上部には、長穴７２Ｃを貫通して長穴７２Ｃを上下方向に移動可能な貫通ピン６６Ｄが固定されている。そして、貫通ピン６６Ｂが長穴７２Ａ内を、貫通ピン６６Ｃが長穴７２Ｂ内を、貫通ピン６６Ｄが長穴７２Ｃ内を、それぞれ下方に移動することで、パイプ７１Ｂはパイプ７１Ａから、パイプ７１Ｃはパイプ７１Ｂから、パイプ７１Ｄはパイプ７１Ｃから、それぞれ下方に延出し、伸縮部７０の全体の長さが長くなるようになっている。また、貫通ピン６６Ｂ〜６６Ｄが、長穴７２Ａ〜７２Ｃ内を、それぞれ上方に移動することで、伸縮部７０の全体の長さが短くなるようになっている。これらの貫通ピン６６Ｂ〜６６Ｄは、長穴７２Ａ〜７２Ｃを上下方向に各々移動可能であるが、パイプ７１Ａ〜７１Ｃの周方向には移動しないため、パイプ７１Ａ〜７１Ｄが、互いに周方向に回転することはない。したがって、物品取得部５も回転することはない。なお、伸縮部７０は、物品取得部５の把持アーム５１Ａ及び５１Ｂの下端で、回動板２４Ａ〜２４Ｆに荷重をかけることが可能な位置まで下降することが可能となっている。【００７４】
昇降部８０は、図２２に示すように、キャリア８１に搭載された巻取り巻戻し装置８２と、この巻取り巻戻し装置８２によって巻き取られるワイヤ８３とからなり、ワイヤ８３は、伸縮部７０の内側を通過するようになっており、巻取り巻戻し装置８２によって巻き取られる長さに応じて、伸縮部７０の全体の長さ（上下方向の長さ）を変更するようになっている。巻取り巻戻し装置８２は、ワイヤモータ８４と、ウオーム８５と、ウオームギヤ８６と、ワイヤリール８７と、ガイドリール８８とから構成されている。ワイヤ８３は、ワイヤリール８７から繰り出され、ガイドリール８８の周囲を巻いた後、伸縮部７０の内側に導入され、パイプ７１Ｄの出口端の所でパイプ内を上下動可能な円柱状のコネクタ７６に結合されている。このコネクタ７６は、中心に受け穴７７を有し、この受け穴７７の中にスイッチ作動子７５を下端に固着した心棒７８の上端が結合されている。スイッチ作動子７５の上には、心棒７８を取り囲むようにコイルスプリング７９が装着されている。ブラケット８９の中央部には、ワイヤ８３の下降を制限するＺ方向リミットスイッチ９０がセットされている。【００７５】
Ｚ方向リミットスイッチ９０は、ワイヤモータ８４を駆動する電気回路内に組み込まれた常閉スイッチであり、図２３に示す制御手段１００に接続されている。このＺ方向リミットスイッチ９０は、下方向の移動限界位置を検出する下方向リミットスイッチ９０Ｄと、上方向の移動限界位置を検出する上方向リミットスイッチ９０Ｕから構成されている。【００７６】
下方向リミットスイッチ９０Ｄは、昇降装置７による物品取得部５の下降動作時に物品取得部５が底付き状態となったことを検出する。具体的には、実施の形態１にかかる物品取得ゲーム装置１の場合、Ｚ方向移動用モータ１０６Ｚがワイヤ８３を順次送り出せば、物品取得部５は、ワイヤ８３の送り出し量に応じた分だけ下降する。このようにして下降した物品取得部５が、例えば、物品や、物品配置部４の上面に当たり、その上に載った状態となった場合、物品取得部５の下降は、そこで一端止まるが、Ｚ方向移動用モータ１０６Ｚが引き続きワイヤ８３を送り出すため一時的にワイヤ８３の張力がなくなり弛んだ状態となる。下方向リミットスイッチ９０Ｄは、このワイヤ８３が弛んだ状態を検出することで、物品取得部５が下方向の移動限界位置まで下降したことを把握する。そして、下方向リミットスイッチ９０Ｄは、物品取得部５が、下方向の移動限界位置まで移動した時に、これに応じた移動限界検出信号を制御手段１００に出力する。一方、上方向リミットスイッチ９０Ｕは、物品取得部５が、上方向の移動限界位置まで移動した時に、これに応じた移動限界検出信号を制御手段１００に出力する。【００７７】
なお、この昇降部８０は、後に詳述する水平移動装置６の物品取得部用基台１６１内（図２０参照）に収容されている。また、図２１に示す符号９１は、物品取得部５のモータ５０に給電するケーブルである。【００７８】
水平移動装置６は、物品収容部３の内部上方に左右方向（Ｘ方向）に固定配置された一対の左右移動用固定レール１６２と、この左右移動用固定レール１６２にスライド自在に、かつ前後方向（Ｙ方向）に取けられた前後移動用可動レール１６３と、この前後移動用可動レール１６３にスライド自在に取付けられた物品取得部用基台１６１とを備えている。【００７９】
前後移動用可動レール１６３は、Ｘ方向移動用モータ１０６Ｘ（図２３参照）の回転出力に基づいて左右移動用固定レール１６２に沿って左右方向（Ｘ方向）に移動させることができ、物品取得部用基台１６１は、Ｙ方向移動用モータ１０６Ｙ（図２３参照）の回転出力基づいて前後移動用可動レール１６３に沿って前後方向（Ｙ方向）に移動させることができる。また、Ｚ方向移動用モータ１０６Ｚ（図２３参照）は、その回転出力に基づいて、昇降装置７の巻取り巻戻し装置８２を駆動させ、伸縮部７０を伸縮させることができる。したがって、Ｘ方向移動用モータ１０６Ｘ、Ｙ方向移動用モータ１０６Ｙ及びＺ方向移動用モータ１０６Ｚを所望状態に作動することによって、物品取得部５を物品収容部３内の所望位置に移動させることができる。これらＸ方向移動用モータ１０６Ｘ、Ｙ方向移動用モータ１０６Ｙ及びＺ方向移動用モータ１０６Ｚは、図２３に示す制御手段１００に接続されている。【００８０】
また、左右移動用固定レール１６２のＸ方向の移動限界位置には、Ｘ方向リミットスイッチ１０７Ｘ（図２３参照）が、前後移動用可動レール１６３のＹ方向の移動限界位置には、Ｙ方向リミットスイッチ１０７Ｙ（図２３参照）が、それぞれ設けられている。そして、Ｘ方向リミットスイッチ１０７Ｘ及びＹ方向リミットスイッチ１０７Ｙは、図２３に示す制御手段１００に接続されている。これらＸ方向リミットスイッチ１０７Ｘ及びＹ方向リミットスイッチ１０７Ｙは、物品取得部５が、左右方向（Ｘ方向）及び前後方向（Ｙ方向）の各々の移動限界位置まで移動した時に、これに応じた移動限界検出信号を制御手段１００に出力する。【００８１】
制御手段１００は、ＣＰＵ（Central Processing Unit）、ＲＯＭ（Read Only Memory）及びＲＡＭ（Random Access Memory）からなるマイクロコンピュータ構成を有している。この制御手段１００には、図２３に示すように、前述した操作部としての第１の操作スイッチ１３Ｘ及び第２の操作スイッチ１３Ｙの他、Ｘ方向移動用モータ１０６Ｘ、Ｙ方向移動用モータ１０６Ｙ、Ｚ方向移動用モータ１０６Ｚ、物品取得部５のアーム５１Ａ及び５１Ｂを開閉させるモータ５０、Ｘ方向リミットスイッチ１０７Ｘ、Ｙ方向リミットスイッチ１０７Ｙ、Ｚ方向リミットスイッチ９０、例えば不揮発性メモリからなる記憶部１０１、ネットワークを介して外部機器と通信するためのインタフェースである通信部１０２等が接続されている。【００８２】
次に、図２４及び図２５に示す物品取得ゲーム実行処理手順にしたがって、プレーヤによる物品取得ゲームを物品取得ゲーム装置１に実行させる動作について説明する。なお、実施の形態１では、物品取得ゲーム領域１Ａにおいて物品取得ゲームを行う場合について説明する。したがって、図１に示すように、物品取得部５の初期位置（ホームポジション）は、物品取得ゲーム装置１に向かって右側前方とする。【００８３】
先ず、制御手段１００は、予め設定された１プレイ分の所定枚数のコインがコイン投入口１２（図１及び図２参照）に投入されたことを認識すると、この物品取得ゲーム実行処理手順を開始する。先ず、ステップＳＰ１０１では、操作卓１１（図１及び図２参照）の第１の操作スイッチ１３Ｘ（図１及び図２参照）が押圧されるのを待ち受ける。そして、制御手段１００は、プレーヤが第１の操作スイッチ１３Ｘを押圧したことを第１の操作スイッチ１３Ｘからの操作信号に基づいて認識（ステップＳＰ１０１：ＹＥＳ）すると、ステップＳＰ１０２に進む。【００８４】
ステップＳＰ１０２では、水平移動装置６（図２０参照）のＸ方向移動用モータ１０６Ｘを作動させて、ホームポジションに位置していた物品取得部５の左方向（Ｘ方向）への移動を開始させる。次いで、制御手段１００は、ステップＳＰ１０３に進んで、対応するＸ方向リミットスイッチ１０７Ｘからの移動限界検出信号に基づいて、物品取得部５が左方向（Ｘ方向）の移動限界位置にまで移動し終えたか否かを判断する。また、制御手段１００は、続くステップＳＰ１０４において、第１の操作スイッチ１３Ｘからの操作信号に基づいて、第１の操作スイッチ１３Ｘの押圧が解除されたか否かを判断する。そして、制御手段１００は、これらステップＳＰ１０３及びステップＳＰ１０４において共に否定結果（ステップＳＰ１０３：ＮＯ、ステップＳＰ１０４：ＮＯ）を得ると、ステップＳＰ１０３に戻る。【００８５】
一方、制御手段１００は、ステップＳＰ１０３またはステップＳＰ１０４のいずれかにおいて肯定結果（ステップＳＰ１０３：ＹＥＳまたはステップＳＰ１０４：ＹＥＳ）を得ると、ステップＳＰ１０５に進んで、水平移動装置６のＸ方向移動用モータ１０６Ｘを停止させて物品取得部５の左方向（Ｘ方向）の移動を終了させ、この後、ステップＳＰ１０６に進んで、操作卓１１の第２の操作スイッチ１３Ｙ（図１、図１２参照）が押圧されるのを待ち受ける。【００８６】
制御手段１００は、第２の操作スイッチ１３Ｙが押圧されたことを第２の操作スイッチ１３Ｙからの操作信号に基づいて認識する（ステップＳＰ１０６：ＹＥＳ）と、ステップＳＰ１０７に進んで、水平移動装置６のＹ方向移動用モータ１０６Ｙを作動させて物品取得部５の後方向（Ｙ方向）への移動を開始させる。【００８７】
この後、制御手段１００は、ステップＳＰ１０８に進んで、Ｙ方向リミットスイッチ１０７Ｙからの移動限界検出信号に基づいて、物品取得部５が後方向（Ｙ方向）の移動限界位置にまで移動し終えたかを判断する。また、制御手段１００は、続くステップＳＰ１０９において、第２の操作スイッチ１３Ｙからの操作信号に基づいて、第２の操作スイッチ１３Ｙの押圧が解除されたか否かを判断する。そして、制御手段１００は、これらステップＳＰ１０８及びステップＳＰ１０９において共に否定結果（ステップＳＰ１０８：ＮＯ、ステップＳＰ１０９：ＮＯ）を得ると、ステップＳＰ１０８に戻る。【００８８】
一方、制御手段１００は、ステップＳＰ１０８またはステップＳＰ１０９のいずれかにおいて肯定結果（ステップＳＰ１０８：ＹＥＳまたはステップＳＰ１０９：ＹＥＳ）を得ると、ステップＳＰ１１０に進んで、水平移動装置６のＹ方向移動用モータ１０６Ｙを停止させて物品取得部５の後方向（Ｙ方向）への移動を終了させる。その後、ステップＳＰ１１１に進んで、物品取得部５のモータ５０を作動させて物品取得部５の把持アーム５１Ａ及び５１Ｂを開放させる。【００８９】
次いで、制御手段１００は、ステップＳＰ１１２において、水平移動装置６のＺ方向移動用モータ１０６Ｚを作動させて物品取得部５の下降を開始させ、さらにこの後、ステップＳＰ１１３に進んで、物品取得部５が下方向の移動限界位置にまで移動し終えるのを待ち受ける。一方、物品取得部５が下方向（Ｚ方向）の移動限界位置にまで移動し終えたことを認識しない場合（ステップＳＰ１１３：ＮＯ）は、ステップＳＰ１１３に戻る。【００９０】
そして、制御手段１００は、下方向リミットスイッチ９０Ｄからの移動限界検出信号に基づき、物品取得部５が下方向の移動限界位置にまで移動し終えたことを認識する（ステップＳＰ１１３：ＹＥＳ）と、ステップＳＰ１１４に進んで、水平移動装置６のＺ方向移動用モータ１０６Ｚを停止させて物品取得部５の下降を終了させる。その後、ステップＳＰ１１５に進み、物品取得部５のモータ５０を作動させることにより把持アーム５１Ａ及び５１Ｂを閉じる。【００９１】
この時、例えば、把持アーム５１Ａ及び５１Ｂが物品に対し適切な位置に在れば、把持アーム５１Ａ及び５１Ｂが物品を把持する。また、棒状部材３１が、枠体１４に対し移動可能に配設されている場合であって、把持アーム５１Ａ及び５１Ｂが閉じる動作によって棒状部材３１に対し所定の方向に所定の力を加えた場合は、棒状部材３１がその方向に移動する。【００９２】
その後、ステップＳＰ１１６に進み、Ｚ方向移動用モータ１０６Ｚを作動させて物品取得部５の上昇を開始させる。この後、ステップＳＰ１１７に進んで、物品取得部５が上方向（Ｚ方向）の移動限界位置にまで移動し終えるのを待ち受ける。次に、制御手段１００は、上方向リミットスイッチ９０Ｕからの移動限界検出信号に基づいて、物品取得部５が上方向の移動限界位置にまで移動し終えたことを確認する（ステップＳＰ１１７：ＹＥＳ）と、ステップＳＰ１１８に進んで、水平移動装置６のＺ方向移動用モータ１０６Ｚを停止させて物品取得部５の上昇を終了させる。その後、ステップＳＰ１１９に進む。【００９３】
ステップＳＰ１１９では、水平移動装置６のＸ方向移動用モータ１０６Ｘ、Ｙ方向移動用モータ１０６Ｙを順次作動させて、物品取得部５を右方向及び前方向に移動させ、物品取得部５をホームポジション位置に戻す。その後、ステップＳＰ１２０に進む。次に、ステップＳＰ１２０では、物品取得部５のモータ５０を作動させて物品取得部５の把持アーム５１Ａ及び５１Ｂを開放させる。この時、把持アーム５１Ａ及び５１Ｂが物品を把持していた場合、この物品は、物品落とし口１２０に落下し、物品排出部２０から物品取出口１５に至る。そして、把持アーム５１Ａ及び５１Ｂは再び閉じ、ゲームを終了する。【００９４】
なお、実施の形態１では、枠体１４に棒状部材３１を配設した場合について説明したが、これに限らず、所望により、枠体１４に棒状部材３１を配設せずに板状部材３２を配設してもよい。この場合、板状部材３２は、枠部材３３及び３４に取付ける等して枠体１４上に単に載置してもよいが、板状部材３２に、板状部材３２を枠体１４に着脱可能に固定するロック部材を配設すれば、板状部材３２をより安定した状態で配設することができる。この板状部材３２に配設するロック部材は、例えば、前述したロック部材３７の挿入部１３８を、板状部材３２に固定可能な構成に変形したものであってもよく、取付具１２２であってもよい。【００９５】
また、実施の形態１では、枠部材３３及び３４並びに棒状部材３１に、図８及び図９に詳細に示す構造のロック部材３７を配設した場合について説明したが、これに限らず、ロック部材は、枠部材３３及び３４並びに棒状部材３１を着脱可能に固定することが可能であれば、例えば、図２６及び図２７に示すように、他の構造を有していてもよい。また、ロック部材３７は、必ずしも設けなくてもよい。【００９６】
この図２６及び図２７に示すロック部材１３７は、ロック部材３７と同様の挿入部１３８と、挿入部１３８の先端に形成され、第１の連結枠部材３５、棒状部材３１、枠部材３３及び３４を受領する凹部２３２が形成された受領部２３３と、受領部２３３に回動軸２３４及び２３６によって回動可能に取付けられたロック部２３５とを備えている。ロック部２３５には、回動軸２３４を挿入し、挿入された回動軸２３４を相対的に移動させる軸穴２３７と、回動軸２３６を挿入し、挿入された回動軸２３６を相対的に移動させる軸穴２３８と、第１の連結枠部材３５、棒状部材３１、枠部材３３及び３４を受領可能な凹部２３９が形成されている。そして、ロック部２３５は、ロック位置（図２７参照）まで回動した際に、凹部２３９を画定する壁部の一部が凹部２３２内に突出して、第１の連結枠部材３５、棒状部材３１、枠部材３３及び３４を押圧することにより、第１の連結枠部材３５、棒状部材３１、枠部材３３及び３４をロックする構成となっている。【００９７】
また、実施の形態１では、昇降部８０が、例えば、物品取得部５の把持アーム５１Ａ及び／または把持アーム５１Ｂが物品（棒状部材３１を移動させたい場合は、棒状部材３１）等に接触した（当たった）後、巻取り巻戻し装置８２によるワイヤ８３の巻き取りを開始するまでの時間（すなわち、物品取得部５を上昇させるまでの時間）を予め任意に決定しておいてもよい。例えば、前記時間を通常よりも長くすることで、把持アーム５１Ａ及び／または把持アーム５１Ｂが、物品（棒状部材３１を移動させたい場合は、棒状部材３１）等を押圧する時間を長くとることができ、物品の取得や転がし動作（棒状部材３１の移動）を行い易くしてもよい。一方、前記時間を通常よりも短くすることで、把持アーム５１Ａ及び／または把持アーム５１Ｂが、物品（棒状部材３１を移動させたい場合は、棒状部材３１）等を押圧する時間を短くすることができ、物品の取得や転がし動作（棒状部材３１の移動）を行い難くしてもよい。このように、前記時間を変更することでも、ゲームの難易度を変更することができる。なお、この場合、制御手段１００にタイマ（図示せず）を接続し、前記時間は、このタイマによって計測すればよい。【００９８】
（実施の形態２）
次に、本発明の実施の形態２にかかる物品取得ゲーム装置について図面を参照して説明する。なお、実施の形態２では、実施の形態１で説明した部材と同様の部材には同一の符号を付し、その詳細な説明は省略する。【００９９】
図２８は、実施の形態２にかかる物品取得ゲーム装置の物品配置部を構成する部品を示す斜視図、図２９は、図２８に示すコーナーガードの斜視図、図３０は、図２９に示すコーナーガードの正面図、図３１は、コーナーガードを取付ける前の物品配置部の斜視図、図３２は、棒状部材に板状部材を配設した状態を示す斜視図である。なお、前記各図では、説明を判りやすくするため、各部材の厚さやサイズ、拡大・縮小率等は、実際のものとは一致させずに記載した。【０１００】
図２８〜図３２に示すように、実施の形態２にかかる物品取得ゲーム装置と、実施の形態１にかかる物品取得ゲーム装置１との異なる主な点は、板状部材３３２の構成と、板状部材３３２の側面３３３及び３３４にガード板２４０を各々配設し、ガード板２４０とガード板２４０との間にコーナーガード２５０を配設した点である。【０１０１】
板状部材３３２は、プレート１２１と、プレート１２１の四辺に略垂直方向に形成された側面３３３、３３４、３３５及び３３６と、プレート１２１の四隅に螺子３３７によって固定され、棒状部材３１に着脱可能に取付けられる取付具３３８を備えている。側面３３３に対向配置された側面３３５は、同様の形状を有しており、その両端部には螺子孔２４１及び２４２が各々形成されている。また、螺子孔２４１と螺子孔２４２との間には、挿入孔２４３が形成されている。側面３３４に対向配置された側面３３６は、同様の形状を有しており、その両端部には螺子孔２４１及び２４２が各々形成されている。取付具３３８は、側面３３４と側面３３６に各々配設されており、爪部２４５と、爪部２４６及び２４７とによって、棒状部材３１を挟持することで、板状部材３３２を棒状部材３１に着脱可能に固定している。【０１０２】
ガード板２４０は、側面３３３〜３３６に取付けた際に、螺子孔２４１及び２４２と重なる位置に、互いに平行に形成された２つの長穴２４８が貫通形成されている。長穴２４８の一端側（図２８でいう下端側）には、螺子２６０の頭を貫通可能な略円形の穴２４９が貫通形成されている。このガード板２４０は、螺子孔２４１及び２４２に螺合した螺子２６０の軸部が長穴２４８を貫通した状態で、板状部材３３２に対し略垂直方向（図２８でいう上下方向）に移動可能となっており、任意の位置で螺子２６０によって板状部材３３２の側面３３３〜３３６のいずれか（実施の形態２では、側面３３３及び３３４）に固定されるようになっており、プレート１２１の上面に対し任意の高さで配設することができる。このため、ガード板２４０は、前記移動を行う際に、棒状部材３１に干渉しないように、側面３３３及び３３４に取付けられる（図３１参照）ため、両ガード板２４０同士の間に隙間Ｓ（図３１参照）が形成される。このガード板２４０は、例えば、プレート１２１上に載置した物品が、プレート１２１から落下することを防止したり、物品落とし口１２０を画定したり、物品取得部５による物品の取得の難易度を調整する（例えば、物品を容易に取得できないようにするための防波堤としての役割を果たす）等、様々な目的で使用でき、これらの目的に応じてプレート１２１の上面に対する高さを決定することもできる。【０１０３】
コーナーガード２５０は、特に図２８に示すように、板状部材３３２の側面３３３及び３３４に跨って取付けられるように略直角に屈曲された略Ｌ字状を有しており、この屈曲部２５１に対して略対称となる形状を備えている。このコーナーガード２５０は、板状部材３３２の側面３３４に配設されたガード板２４０と、側面３３５に配設されたガード板２４０との間に着脱可能に配設され、両ガード板２４０同士の間に形成された隙間Ｓ（図３１参照）の一部を塞ぐ（図２８参照）ことができるようになっている。また、コーナーガード２５０の下端には、図２８〜図３０に示すように、屈曲部２５１と、この屈曲部２５１と対向する縁部２５２との略中央部に、下方に突出した傾斜部２５４及び２５５が形成されている。なお、縁部２５２とは反対側の縁部２５３と、屈曲部２５１との間の下端にも傾斜部２５４及び２５５が形成されている。【０１０４】
また、コーナーガード２５０の縁部２５２及び２５３の上部には、螺子２６０が貫通可能な切欠部２５６及び２５７が各々形成されている。これらの切欠部２５６及び２５７は、コーナーガード２５０を板状部材３３２の側面３３３及び３３４に配設した際に、側面３３３に形成されている螺子孔２４２と、側面３３４に形成されている螺子孔２４１に各々重なる位置に形成されており、螺子２６０が貫通することにより、コーナーガード２５０はガード板２４０と共に側面３３３及び３３４に着脱可能に固定される。さらに、コーナーガード２５０の屈曲部２５１付近の上端には、板状部材３３２に配設された際に、棒状部材３１と干渉することを避けるための凹部２５８が形成されている。【０１０５】
この形状を備えたコーナーガード２５０は、前述したように、板状部材３３２に配設された際に、両ガード板２４０同士の間に形成された隙間Ｓの一部（図２８では隙間Ｓの上部）を塞ぐことができる。このため、物品取得部５の把持アーム５１Ａ及び５１Ｂによって物品を取得しようとした際に、把持アーム５１Ａ及び５１Ｂが、両ガード板２４０同士の間に位置し、開閉動作を行っても、把持アーム５１Ａ及び５１Ｂは、コーナーガード２５０の傾斜部２５４及び２５５によって誘導されるため、コーナーガード２５０やガード板２４０、あるいはこれらの部材によって形成される空間等に、把持アーム５１Ａ及び５１Ｂが引っかかることを防止することができる。【０１０６】
また、例えば、図３３に示すように、板状部材３３２のプレート１２１の上面に対するガード板２４０の高さを、図２８に示す場合よりも高くし、２枚のコーナーガード２５０を用いて、両ガード板２４０同士の間に、棒状部材３１を挟んで上下に形成された隙間を塞いでもよい。この場合、棒状部材３１の下方に位置するコーナーガード２５０は、前述したように把持アーム５１Ａ及び５１Ｂの引っかかりを防止する役割を果たす。一方、棒状部材３１の上方に位置するコーナーガード２５０は、プレート１２１の上面に載置された物品が、前記隙間から落下することを防止する役割を果たすことができる。【０１０７】
そしてまた、コーナーガード２５０は、例えば、図３４に示すように、取付具３３８によって一端が棒状部材３１に着脱可能に固定され、プレート１２１の上面が略垂直方向となるように配設された板状部材３３２の下端の両角部に配設してもよい。このようにすることで、コーナーガード２５０は、例えば、物品収容部３の背面１７等に、物品をレイアウトする場合等にも利用することができる。【０１０８】
さらにまた、コーナーガード２５０は、その下端に形成されている傾斜部２５４及び２５５に代えて、例えば、図３５及び図３６に示すように、縁部２５２（２５３）から屈曲部２５１に向けてコーナーガード２５０の長さが徐々に長くなるように傾斜した傾斜部２６５を形成してもよい。この構成の場合も、傾斜部２５４及び２５５が形成されている構成と同様に、傾斜部２６５によって把持アーム５１Ａ及び５１Ｂが誘導されるため、コーナーガード２５０やガード板２４０、あるいはこれらの部材によって形成される空間等に把持アーム５１Ａ及び５１Ｂが引っかかることを防止することができる。【０１０９】
また、他の形状のコーナーガードとして、例えば、図３７〜図３９に示すように、板状部材３３２の側面３３３に配設されたガード板２４０と、板状部材３３２の側面３３４に配設されたガード板２４０との間に形成された隙間Ｓの一部を塞ぐガード本体３５１と、ガード本体３５１の上部に連続的に形成され、側面３３３に着脱可能に固定される第１の固定部３５２と、第１の固定部３５２に対し略直角に屈曲され、側面３３４に着脱可能に固定される第２の固定部３５３と、を備えた構成のコーナーガード３５０を配設することもできる。【０１１０】
そしてまた、他の実施態様としては、例えば、図４０及び図４１に示すように、コーナーガードとしての機能を有するガード板３４０を配設してもよい。具体的には、ガード板３４０は、ガード板２４０と同様のサイズのガード本体３４１と、ガード本体３４１の両側に連続的に形成され且つガード本体３４１に対して屈曲したコーナーガード部３４２及び３４３と、を備えて構成されている。ガード本体３４１には、側面３３３及び３３４に取付けた際に、螺子孔２４１及び２４２と重なる位置に、互いに平行に形成された２つの長穴３４８が貫通形成されている。この長穴３４８は、コーナーガード部３４２及び３４３の上端よりも上方に形成されており、ガード板３４０を板状部材３３２に対して移動させる際に、コーナーガード部３４２及び３４３が棒状部材３１に干渉することがないようになっている。コーナーガード部３４２及び３４３は、側面３３３に配設された際に、側面３３４に配設されたガード板２４０との間に形成される隙間Ｓの一部を塞ぐことができる。コーナーガード部３４２及び３４３の上端は、ガード本体３４１の上端よりも下方に位置しており、コーナーガード部３４２及び３４３の上端をガード本体３４１の上端よりも低く位置させることで、棒状部材３１が配設されるスペースを確保している。【０１１１】
さらにまた、他の実施態様としては、例えば、図４２〜図４５に示すように、コーナーガードとしての機能を有する他の構成のガード板４４０を配設してもよい。このガード板４４０は、一端部（上端）が、板状部材３３２の側面３３３に着脱可能に固定され、他端（下端）が板状部材３３２の下面に位置するよう湾曲した構成を有している。ガード板４４０の上端には、ガード板４４０を側面３３３に取付けた際に、螺子孔２４１及び２４２と重なる位置に、螺子２６０が貫通可能な切欠部２５６及び２５７が各々形成されており、切欠部２５６と切欠部２５７との間には、側面３３３に形成された挿入孔２４３に挿入される凸部４４１が形成されている。この凸部４４１は、板状部材３３２にガード板４４０を螺子２６０によって固定（螺子止め）する際に、挿入孔２４３に挿入させておくことができるため、ガード板４４０を板状部材３３２に安定した状態で固定（螺子止め）することができ、取付け作業性を向上することができる。また、板状部材３３２にガード板４４０が取付けられている状態で、仮に螺子２６０が緩んだとしても、凸部４４１が挿入孔２４３に挿入されているため、ガード板４４０が板状部材３３２から落下することを防止することができる。【０１１２】
また、ガード板４４０の上端の両側には、板状部材３３２に配設された際に、棒状部材３１と干渉することを避けるための凹部２５８が各々形成されている。このため、ガード板４４０の棒状部材３１よりも下方に位置する部分は、図４２及び図４４に示すように、棒状部材３１の下方まで延出させることができる。【０１１３】
この構成を備えたガード板４４０を板状部材３３２に配設することで、物品取得部５の把持アーム５１Ａ及び５１Ｂによって物品を取得しようとした際に、把持アーム５１Ａ及び５１Ｂが、板状部材３３２の底面や角部近傍に接触しようとしても、ガード板４４０の湾曲した面によって、把持アーム５１Ａ及び５１Ｂが誘導されるため、板状部材３３２の底面や角部近傍に引っかかることを防止することができる。【０１１４】
なお、ガード板２４０及び３４０は、板状部材３３２の側面３３３〜３３６のうちの一つに配設してもよく、複数の側面に配設することもできる。また、ガード板２４０及び３４０を取付ける側面３３３〜３３６は、任意に選択することができる。また、ガード板４４０は、把持アーム５１Ａ及び５１Ｂが、板状部材３３２の底面や角部近傍に引っかかることを防止するために配設することが主な目的であるため、把持アーム５１Ａ及び５１Ｂの開閉方向に位置する側面（図１でいう左右方向にある側面）に配設することが望ましいが、これに限定する必要はない。また、ガード板４４０に形成されている凸部４４１は必ずしも設ける必要はなく、凸部４４１が形成されている場合には、ガード板４４０が配設される板状部材３３２の側面に、挿入孔２４３を形成することが望ましい。【０１１５】
また、板状部材３３２の側面３３３にガード板４４０を配設し、側面３３４にガード板３４０を配設する等、ガード板は所望により任意に組合せて使用してもよい。【０１１６】
（実施の形態３）
次に、本発明の実施の形態３にかかる物品取得ゲーム装置について図面を参照して説明する。なお、実施の形態３では、実施の形態１及び２で説明した部材と同様の部材には同一の符号を付し、その詳細な説明は省略する。【０１１７】
図４６は、本発明の実施の形態３にかかる物品取得ゲーム装置の物品収納部内の一部を示す側面図、図４７は、図４６に示す物品収納部内の一部のレイアウトを変更した状態を示す側面図、図４８は、図４６に示す物品取得ゲーム装置の構成要件であるロック部材が取付けられた枠体の一部を拡大して示す側面図、図４９は、図４７に示す物品取得ゲーム装置の構成要件であるロック部材が取付けられた枠体の一部を拡大して示す側面図、図５０は、図４９に示すロック部材が枠体の構成要素である枠部材に取付けられた状態を拡大して示す側面図、図５１は、図４６に示すロック部材の斜視図、図５２は、図５１に示すロック部材の右側面図、図５３は、図５１に示すロック部材の左側面図、図５４は、図５１に示すロック部材の正面図、図５５は、図５１に示すロック部材の背面図、図５６は、図５１に示すロック部材の平面図、図５７は、図５１に示すロック部材の底面図、図５８は、図５１に示すロック部材の構成要素である上部ロック片の斜視図、図５９は、図５８に示す上部ロック片の右側面図、図６０は、図５８に示す上部ロック片の左側面図、図６１は、図５８に示す上部ロック片の正面図、図６２は、図５８に示す上部ロック片の背面図、図６３は、図５８に示す上部ロック片の平面図、図６４は、図５８に示す上部ロック片の底面図、図６５は、図５１に示すロック部材の構成要素である下部ロック片の斜視図、図６６は、図５１に示す下部ロック片の右側面図、図６７は、図５１に示す下部ロック片の左側面図、図６８は、図５１に示す下部ロック片の正面図、図６９は、図５１に示す下部ロック片の背面図、図７０は、図５１に示す下部ロック片の平面図、図７１は、図５１に示す下部ロック片の底面図である。なお、前記各図では、説明を判りやすくするため、各部材の厚さやサイズ、拡大・縮小率等は、実際のものとは一致させずに記載した。【０１１８】
図４６〜図７１に示すように、実施の形態３にかかる物品取得ゲーム装置と、実施の形態１にかかる物品取得ゲーム装置１との異なる主な点は、枠体１４の構成要素である枠部材３３及び３４の第２の支持部材１９Ａ及び１９Ｂ側となる各々の端部に、ロック部材５００を取付け、この枠体１４よりも下方に配置した他の枠体１４（以下、下段の枠体１４という）の構成要素である枠部材３３及び３４の任意の位置にロック部材５００を固定することで、ロック部材５００が取付けられた枠体１４の傾斜角度（垂直方向の交差角度）をより容易且つ任意に変更可能とした点である。このように、枠体１４の傾斜角度（垂直方向の交差角度）をより容易且つ任意に変更可能とすることで、新たなゲーム性を付加することができると共に、レイアウトに幅を持たせることが可能となる。【０１１９】
ロック部材５００が取付けられる枠体１４の構成要素である一対の枠部材３３及び３４の第２の支持部材１９Ａ（１９Ｂ）側となる先端（すなわち、第２の係合部２６及び２７の先端）には、枠部材３３及び３４の径よりも大きな径を有するフランジキャップ５８０が取付けられている。このフランジキャップ５８０は、後に詳述するロック部材５００の構成要素である上部ロック片５１０に形成されている正面壁部５１１と、下部ロック片５５０に形成されている正面壁部５５１との間に形成される空間５００Ｓに収容され、これにより、枠部材３３及び３４がロック部材５００に対し前後方向（Ｙ方向：図１及び図２等参照）へ移動することが阻止されるようになっている。【０１２０】
ロック部材５００は、上部ロック片５１０と、下部ロック片５５０と、上部ロック片５１０と下部ロック片５５０とを固定する２組のボルト５９０及びナット５９１と、を有して構成されている。【０１２１】
上部ロック片５１０は、平面視で略長方形を呈するベース５２０と、ベース５２０の一方の縁から上方に向けて立設された正面壁部５１１と、ベース５２０の正面壁部５１１が形成された縁とは反対側の縁から上方に向けて立設された背面壁部５１２と、ベース５２０の残り２つの縁から上方に向けて各々立設された右側壁部５１３及び左側壁部５１４とを備えている。【０１２２】
ベース５２０には、２つのボルト穴５１６及び５１７が貫通形成されている。互いに対向配置された正面壁部５１１及び背面壁部５１２は、同様の形状を有している。また、互いに対向配置された右側壁部５１３及び左側壁部５１４は、互いに対称な形状を有しており、背面壁部５１２側に位置する部分５１３Ｂ（５１４Ｂ）が背面壁部５１２とほぼ同一の高さを有し、正面壁部５１１側に位置する部分５１３Ｆ（５１４Ｆ）が正面壁部５１１よりも高く、正面壁部５１１側に位置する部分５１３Ｆ（５１４Ｆ）と背面壁部５１２側に位置する部分５１３Ｂ（５１４Ｂ）との間となる部分５１３Ｍ（５１４Ｍ）が正面壁部５１１側に位置する部分５１３Ｆ（５１４Ｆ）よりもさらに高い形状を有している。部分５１３Ｍ及び５１４Ｍの各々の上端部は、内側に円弧状に丸められた爪部５１８及び５１９となっている。【０１２３】
右側壁部５１３と左側壁部５１４との間には、特に図４８〜図５０に示すように、枠部材３３及び３４が挿入可能であり、ここに挿入された枠部材３３及び３４は、正面壁部５１１及び背面壁部５１２の上端面に当接し、爪部５１８及び５１９によって着脱可能にロックされるようになっている。なお、右側壁部５１３と左側壁部５１４は、枠部材３３及び３４を挿入する、あるいは挿入された枠部材３３及び３４を取外す際に、外側に開く方向に弾性変形し、その後、弾性復元可能である。【０１２４】
下部ロック片５５０は、平面視で略長方形を呈するベース５６０と、ベース５６０の一方の縁から上方に向けて立設された正面壁部５５１と、ベース５６０の正面壁部５５１が形成されている縁に対し略垂直方向に位置する２つの縁から下方に向けて各々立設された右側壁部５５３及び左側壁部５５４とを備えている。【０１２５】
ベース５６０には、ベース５６０とベース５２０とを合わせた（例えば、図４８〜図５７参照）際に、ベース５２０に形成されているボルト穴５１６及び５１７と貫通する位置に、ボルト穴５５６及び５５７が各々貫通形成されている。正面壁部５５１は、正面壁部５１１よりも高く形成されており、フランジキャップ５８０の先端面に当接するようになっている。また、互いに対向配置された右側壁部５５３及び左側壁部５５４は、互いに対称な形状を有しており、その前方側（正面側）は、ベース５６０の正面壁部５５１側の縁よりも斜め下方前方に延出した延出壁５５３Ｆ及び５５４Ｆとなっている。延出壁５５３Ｆ及び５５４Ｆの下端部は、内側に円弧状に丸められた爪部５５８及び５５９となっている。【０１２６】
右側壁部５５３と左側壁部５５４との間には、特に図４８〜図５０に示すように、下段の枠体１４の構成要素である枠部材３３及び３４が挿入可能であり、ここに挿入された枠部材３３及び３４は、正面壁部５５１の下端面に当接してロック部材５００を支持するようになっている。ここで、ロック部材５００は、下段の枠部材３３及び３４に取付けられた際に、下段の枠部材３３及び３４と爪部５５８及び５５９との間には、適度な間隔（遊び）が形成されるようになっており、ロック部材５００は、下段の枠部材３３及び３４に取付けられた際に、図４８及び図４９に示すように、下段の枠部材３３及び３４に対して揺動可能となっている。また、ロック部材５００は、枠部材３３及び３４のロック部材５００が取付けられていない他端が第１の支持部材１８Ａにより固定されていることに併せて枠部材３３及び３４の自重によりある程度固定される。したがって、上部ロック片５１０によって支持されている枠体１４（上段に位置する枠体）の配設角度に幅を持たせることができる。この枠体１４は、爪部５５８及び５５９が下段の枠部材３３及び３４に当接するまで傾けることができる。【０１２７】
また、右側壁部５５３と左側壁部５５４は、枠部材３３及び３４を挿入する、あるいは挿入された枠部材３３及び３４を取外す際に、外側に開く方向に弾性変形し、その後、弾性復元可能である。このため、下段の枠部材３３及び３４に対する取付け、取外し作業を簡単に行うことができる結果、枠体１４の傾斜角度の変更（レイアウトの変更）を簡単に行うことができる。【０１２８】
上部ロック片５１０と下部ロック片５５０は、ベース５２０とベース５６０とを合わせて、ボルト穴５１６及び５５６と、ボルト穴５１７及び５５７に、各々ボルト５９０を貫通し、ナット５９１によって固定することで、ロック部材５００となる。そして、このロック部材５００は、第２の係合部２６及び２７の先端に取付けられたフランジキャップ５８０が、正面壁部５１１と正面壁部５５１との間に形成される空間５００Ｓに位置するように、右側壁部５１３と左側壁部５１４との間に枠部材３３及び３４を挿入することで、枠部材３３及び３４の第２の係合部２６及び２７に着脱可能に固定される。【０１２９】
このロック部材５００が取付けられた枠体１４は、枠部材３３及び３４の第１の支持部材１８Ａ及び１８Ｂ側の各々の端部（すなわち、第１の係合部２４及び２５）を第１の支持部材１８Ａ及び１８Ｂの所望の位置に形成されている第１の被係合部２８Ａ及び２８Ｂに各々係合させた後、右側壁部５５３と左側壁部５５４との間に、下段の枠体１４の枠部材３３及び３４を各々嵌め込む（挿入する）ことで、図４６〜図４９に示すように、配設角度を簡単に変更することができる。また、ロック部材５００を取外せば、枠部材３３及び３４の第２の係合部２６及び２７は、前述した実施の形態１及び２と同様に、第２の被係合部２９Ａ及び２９Ｂに係合させることもできる。【０１３０】
なお、実施の形態３にかかるロック部材５００は、爪部５１８、５１９、５５８及び５５９の形状を、内側に円弧状に丸められた形状としたが、これに限らず、爪部５１８、５１９、５５８及び５５９は、右側壁部５１３と左側壁部５１４との間、及び、右側壁部５５３と左側壁部５５４との間に、枠部材３３及び３４を挿脱可能に挿入して保持可能であれば、他の形状を備えていてもよい。また、爪部５１８、５１９、５５８及び５５９は、右側壁部５１３と左側壁部５１４との間、及び、右側壁部５５３と左側壁部５５４との間に枠部材３３及び３４を挿脱可能に挿入して保持可能であれば、必ずしも設ける必要はない。また、枠部材３３及び３４を保持するための他の部材を設けてもよい。【０１３１】
また、実施の形態３では、下段に配設した枠体１４に、上段に傾斜させて配設した枠体１４を配設する場合について説明したが、これに限らず、例えば、下段に枠部材３３及び３４のみを配設してもよく、予め下段の所望位置に、下部ロック片５５０を取付可能な棒状部材（バー）等を配設しておいてもよい。また、棒状部材３１を構成する棒状体等にロック部材５００を取付けて、この棒状体等を前記と同様に斜めに配設してもよい。【０１３２】
また、実施の形態３では、上部ロック片５１０と下部ロック片５５０を、ボルト５９０及びナット５９１で連結した場合について説明したが、これに限らず、上部ロック片と下部ロック片は、例えば、図１１９〜図１２５に示すように、一体的に構成してもよい。【０１３３】
図１１９〜図１２５に示すロック部材８００は、平面視で略長方形を呈するベース８１０と、ベース８１０の一方の縁から上方に向けて立設された正面壁部８１１と、ベース８１０の一方の縁と略垂直な２つの縁から上方に向けて各々立設された右側壁部８１３及び左側壁部８１４と、右側壁部８１３及び左側壁部８１４の正面壁部８１１側の下端から斜め下方前方に延出した延出壁８５３及び８５４と、を備えている。【０１３４】
ベース８１０の上面は、右側壁部８１３及び左側壁部８１４側（左右方向両端側）が若干高くなった円弧面を有しており、右側壁部８１３及び左側壁部８１４は、正面壁部８１１と所定の間隔をおいて正面壁部８１１よりも後方（例えば、図１２４でいう右側）に位置している。また、ベース８１０の上面且つ左右方向略中央部には、正面壁部８１１と所定の間隔をおいて、上方に突出したリブ８１６が、ベース８１０の後端（例えば、図１２４でいう右端）まで形成されている。正面壁部８１１の左右方向略中央部は、上方に向けて窪んだ凹部となっており、この凹部は、ベース８１０のリブ８１６の正面壁部８１１側まで連通した開口部８１５となっている。この開口部８１５は、リブ８１６の左右方向の幅よりも若干長い幅を備えている。この構成により、正面壁部８１１と、右側壁部８１３及び左側壁部８１４と、リブ８１６との間には、空間５００Ｓが形成され、この空間５００Ｓには、前記と同様にフランジキャップ５８０が挿入されるようになっており、フランジキャップ５８０が挿入された際、正面壁部８１１がフランジキャップ５８０の前方端面に当接し、右側壁部８１３及び左側壁部８１４と、リブ８１６にフランジキャップ５８０の後方端面に当接することで、枠部材３３（３４）の前後方向への移動が阻止される。【０１３５】
右側壁部８１３及び左側壁部８１４は、上端部が、正面視で内側に円弧状に湾曲した湾曲部８１８及び８１９となっており、右側壁部８１３及び左側壁部８１４の間には、枠部材３３及び３４が挿入可能である。そして、ここに挿入された枠部材３３及び３４は、正面壁部８１１及びリブ８１６の上端面に当接し、湾曲部８１８及び８１９によって着脱可能にロックされるようになっている。なお、右側壁部８１３及び左側壁部８１４は、枠部材３３及び３４を挿入する、あるいは挿入された枠部材３３及び３４を取外す際に、外側に開く方向に弾性変形し、その後、弾性復元可能である。【０１３６】
また、延出壁８５３及び８５４の下端部は、内側に円弧状に湾曲した湾曲部８５８及び８５９となっており、延出壁８５３及び８５４との間には、下段の枠体１４の枠部材３３及び３４が挿入可能である。そして、ここに挿入された枠部材３３及び３４は、正面壁部８１１の下端面に当接してロック部材８００を支持するようになっている。なお、延出壁８５３及び８５４は、枠部材３３及び３４を挿入する、あるいは挿入された枠部材３３及び３４を取外す際に、外側に開く方向に弾性変形し、その後、弾性復元可能である。【０１３７】
なお、この構成を備えたロック部材８００は、ベース８１０と、湾曲部８１８及び８１９が各々形成された右側壁部８１３及び左側壁部８１４が、上部ロック片に相当し、ベース８１０と、湾曲部８５８及び８５９が各々形成された延出壁８５３及び８５４が、下部ロック片に相当している。（上部ロック片と下部ロック片とが一体となっているため、ベース８１０は共通である）。【０１３８】
この構成を備えたロック部材８００も、ロック部材５００と同様に、下段の枠部材３３及び３４に取付けられた際に、下段の枠部材３３及び３４と湾曲部８５８及び８５９との間には、適度な間隔（遊び）が形成されるようになっており、ロック部材８００は、下段の枠部材３３及び３４に取付けられた際に、下段の枠部材３３及び３４に対して揺動可能となっている。また、ロック部材８００は、枠部材３３及び３４のロック部材８００が取付けられていない他端が第１の支持部材１８Ａにより固定されていることに併せて枠部材３３及び３４の自重によりある程度固定される。したがって、右側壁部８１３及び左側壁部８１４によって支持されている枠体１４（上段に位置する枠体）の配設角度に幅を持たせることができる。この枠体１４は、湾曲部８５８及び８５９が下段の枠部材３３及び３４に当接するまで傾けることができる。なお、この構成を備えたロック部材８００は、樹脂により構成し、例えば、射出成形等により好適に形成することができる。【０１３９】
また、ロック部材は、所望により、金属製、樹脂製等、構成する材料を適宜選択することができ、構成する材料に適した製造方法（成形方法）を適宜選択することができる。【０１４０】
（実施の形態４）
次に、本発明の実施の形態４にかかる物品取得ゲーム装置について図面を参照して説明する。なお、実施の形態４では、実施の形態１〜３で説明した部材と同様の部材には同一の符号を付し、その詳細な説明は省略する。【０１４１】
図７２は、本発明の実施の形態４にかかる物品取得ゲーム装置の物品収納部内の一部を示す斜視図、図７３は、図７２に示す物品収納部内の側面図、図７４は、図７２に示す物品収納部内の正面図、図７５は、図７２に示す物品収納部内の平面図、図７６は、図７５に示す物品収納部内の一部を拡大して示す平面図、図７７は、図７２に示す物品取得ゲーム装置の構成要件であるロック部材の斜視図、図７８は、図７７に示すロック部材の右側面図、図７９は、図７７に示すロック部材の左側面図、図８０は、図７７に示すロック部材の正面図、図８１は、図７７に示すロック部材の背面図、図８２は、図７７に示すロック部材の平面図、図８３は、図７７に示すロック部材の底面図、図８４は、図７７に示すロック部材の構成要素であるベース板の斜視図、図８５は、図８４に示すベース板の平面図、図８６は、図８４に示すベース板の側面図、図８７は、図７７に示すロック部材の構成要素である上部ロック片の斜視図、図８８は、図８７に示す上部ロック片の右側面図、図８９は、図８７に示す上部ロック片の左側面図、図９０は、図８７に示す上部ロック片の正面図、図９１は、図８７に示す上部ロック片の背面図、図９２は、図８７に示す上部ロック片の平面図、図９３は、図８７に示す上部ロック片の底面図、図９４は、図７７に示すロック部材の構成要素である下部ロック片の斜視図、図９５は、図９４に示す下部ロック片の右側面図、図９６は、図９４に示す下部ロック片の左側面図、図９７は、図９４に示す下部ロック片の正面図、図９８は、図９４に示す下部ロック片の背面図、図９９は、図９４に示す下部ロック片の平面図、図１００は、図９４に示す下部ロック片の底面図、図１０１は、図７７に示すロック部材の構成要素である連結螺子の斜視図、図１０２は、図１０１に示す連結螺子の側面図、図１０３は、図１０１に示す連結螺子の平面図、図１０４は、図１０１に示す連結螺子の底面図である。なお、前記各図では、説明を判りやすくするため、各部材の厚さやサイズ、拡大・縮小率等は、実際のものとは一致させずに記載した。【０１４２】
図７２〜図１０４に示すように、実施の形態４にかかる物品取得ゲーム装置と、実施の形態１にかかる物品取得ゲーム装置１との異なる主な点は、棒状部材３１に相当する部材として、円筒形状の棒状体６０１にロック部材６００を取付けた棒状部材６０５を使用し、この棒状部材６０５を、枠体１４の構成要素である枠部材３３及び３４の任意の位置に取付け、棒状部材６０５の枠部材３３及び３４に対する水平方向の交差角度を任意に変更可能とした点である。このように、水平方向の交差角度をより容易かつ任意に変更可能とすることで、新たなゲーム性を付加すると共に、レイアウトに幅を持たせることが可能となる。【０１４３】
ロック部材６００は、ベース板６１０と、ベース板６１０の上面に配設される上部ロック片６２０と、ベース板６１０の下面に配設される下部ロック片６５０と、ベース板６１０、上部ロック片６２０及び下部ロック片６５０を連結する連結螺子６９０とを有して構成されている。【０１４４】
ベース板６１０は、円盤状を有し、その略中央部には、連結螺子６９０の雄螺子部６９３が貫通する貫通孔６１１が形成されている。【０１４５】
上部ロック片６２０は、ベース板６１０の上面に位置されると共に、平面視で、ベース板６１０の上面よりも面積が小さいベース片６２１と、ベース片６２１の一方の縁から上方に向けて立設された壁部６２２と、壁部６２２の上端から略水平方向に延出した水平壁部６２３と、水平壁部６２３の先端から下方に向けて斜めに延出した傾斜壁部６２４とを備えている。壁部６２２と水平壁部６２３は、滑らかな湾曲面（アール）によって連続的に形成されている。ベース片６２１の略中央部には、上部ロック片６２０がベース板６１０の上面に配置された際に、ベース板６１０に形成されている貫通孔６１１と貫通する貫通孔６２５が形成されている。そして、この壁部６２２と、水平壁部６２３と、傾斜壁部６２４と、ベース板６１０の上面とによって形成される空間に、枠部材３３（３４）が挿入されて保持されるようになっている。なお、傾斜壁部６２４は、特に図８２及び図８３に示すように、ベース板６１０の外周よりも外側に延出している。【０１４６】
下部ロック片６５０は、ベース板６１０の下面に位置されると共に、平面視で、ベース板６１０の下面よりも面積が小さいベース片６５１と、ベース片６５１の一方の縁から下方に向けて立設された壁部６５２と、壁部６５２の下端から略水平方向に延出した水平壁部６５３と、水平壁部６５３の先端から上方に向けて斜めに延出した傾斜壁部６５４と、ベース片６５１の下面から下方に向けて突出し且つ内部に螺子孔６５５が貫通形成されている円筒部６５６を備えている。螺子孔６５５は、下部ロック片６５０がベース板６１０の下面に配置された際に、ベース板６１０に形成されている貫通孔６１１と貫通する。この螺子孔６５５の内周面には、連結螺子６９０の雄螺子部６９３が螺合する雌螺子が形成されている。壁部６５２と水平壁部６５３は、滑らかな湾曲面（アール）によって連続的に形成されている。そして、この壁部６５２と、水平壁部６５３と、傾斜壁部６５４と、ベース板６１０の下面とによって形成される空間に、棒状体６０１の先端部が挿入されて保持されるようになっている。なお、傾斜壁部６５４は、特に図８２及び図８３に示すように、ベース板６１０の外周よりも外側に延出している。【０１４７】
連結螺子６９０は、略円盤状の螺子頭６９１と、螺子頭６９１に連続形成され且つ螺子頭６９１よりも径の小さい略円柱状を有する軸部６９２と、軸部６９２の先端に形成され且つ外周面に雄螺子が形成された雄螺子部６９３から構成されている。螺子頭６９１の外周面には、管理者等が摘みやすいように、凹凸（ギザギザ）が交互に繰り返し形成されている。なお、この連結螺子６９０は、例えば、蝶螺子等、他の構成を有する螺子であってもよい。【０１４８】
上部ロック片６２０、ベース板６１０及び下部ロック片６５０は、上からこの順で配設し、貫通孔６２５、貫通孔６１１及び螺子孔６５５に連結螺子６９０の雄螺子部６９３を挿入して、雄螺子部６９３を螺子孔６５５に形成された雌螺子に螺合させることで、ロック部材６００となる。このロック部材６００は、連結螺子６９０を強く締めることで、ベース板６１０、上部ロック片６２０、下部ロック片６５０は互いに固定され、連結螺子６９０を緩めることで、ベース板６１０、上部ロック片６２０、下部ロック片６５０は、連結螺子６９０を支点として互いに回転可能となる。なお、図７７〜図８３では、壁部６２２と、壁部６５２とが互いに略９０度ずれた位置となっているが、これに限るものではない。また、連結螺子６９０を緩めることで、ベース板６１０から上部ロック片６２０をある程度離すことができ、同様に、ベース板６１０から下部ロック片６５０をある程度離すことができる。【０１４９】
このロック部材６００は、連結螺子６９０を緩め、図７５及び図７６に示すように、ベース板６１０の上面と、上部ロック片６２０の壁部６２２、水平壁部６２３及び傾斜壁部６２４とによって形成される空間に、枠部材３３を挿入する。また、ベース板６１０の下面と、下部ロック片６５０の壁部６５２、水平壁部６５３及び傾斜壁部６５４とによって形成される空間に、棒状体６０１の一方の先端部を挿入する。同様にして、もう一つのロック部材６００のベース板６１０の上面と上部ロック片６２０と間に枠部材３４を挿入し、ベース板６１０の下面と下部ロック片６５０と間に棒状体６０１の他方の先端部を挿入する。棒状体６０１の両端部に配設された各々のロック部材６００は、この状態で、下部ロック片５５０が上部ロック片６２０に対し回動することが可能となっている。このため、ロック部材６００を支点として棒状体６０１を回動させると、棒状体６０１の枠部材３３（３４）に対する交差角度を簡単に変更することができる。棒状体６０１の交差角度が決定した場合は、連結螺子６９０を締め、棒状体６０１の位置を固定すればよい。なお、ロック部材６００はベース板６１０を中心にして、上部ロック片６２０及び下部ロック片６５０を連結螺子６９０によって締めることで棒状体６０１の位置を固定する構成のため、少ない部品によって、新たな部材を必要とせずに交差角度を変更可能になっている。【０１５０】
なお、実施の形態４では、略円盤状のベース板６１０の代わりに、例えば、図１０５〜図１１８に示すように平面視で略Ｌ字状のベース板７１０を使用してもよい。このベース板７１０は、平面視で一方の縁が湾曲した湾曲部７１１となっており、湾曲部７１１と略９０度ずれた縁部には、水平方向に延出した水平部７１２と、水平部７１２の先端から下方に向けて斜めに延出した傾斜壁部７１３が形成されている。すなわち、前述した平面視で略Ｌ字状のＬの一端は湾曲部７１１からなり、他端は水平部７１２及び傾斜壁部７１３からなり、角部にはアールが付けられている。（例えば、図１１０及び図１１１参照）。また、平面視で略Ｌ字状のベース板７１０を用いることで、連結螺子６９０を緩めた場合であっても、傾斜壁部７１３によってベース板６１０が棒状体６０１に略固定されており棒状体６０１の交差角度の変更をする際に、容易となる。また、ベース板７１０を平面視で略Ｌ字状にすることで、略円盤状よりも取付けた際に目立たず、また材料が少なくてすむという利点もある。【０１５１】
このベース板７１０が使用されているロック部材６００は、湾曲部７１１の上面と、上部ロック片６２０の壁部６２２、水平壁部６２３及び傾斜壁部６２４とによって形成される空間に、枠部材３３（３４）が挿入され、水平部７１２及び傾斜壁部７１３の下面と、下部ロック片６５０の壁部６５２、水平壁部６５３及び傾斜壁部６５４とによって形成される空間に、棒状体６０１の先端部を挿入することができ、前記と同様の動作により、棒状体６０１の枠部材３３（３４）に対する交差角度を簡単に変更することができる。【０１５２】
そしてまた、実施の形態４では、棒状部材６０５を枠部材３３及び３４に掛け渡した場合について説明したが、これに限らず、例えば、枠部材３３及び３４に、第２の連結枠部材としての棒状部材３１を取付け、第１の連結枠部材３５と棒状部材３１（第２の連結枠部材）との間に、Ｙ方向に延びる他の棒状体を配設する際に、この棒状部材の一端と、第１の連結枠部材３５とをロック部材６００を介して接続し、この棒状部材の他端と、棒状部材３１（第２の連結枠部材）とをロック部材６００を介して接続してもよい。【０１５３】
また、ロック部材６００は、所望により、金属製、樹脂製等、構成する材料を適宜選択することができ、構成する材料に適した製造方法（成形方法）を適宜選択することができる。
【図１】
2009034903.tif 000003
【図２】
2009034903.tif 000004
【図３】
2009034903.tif 000005
【図４】
2009034903.tif 000006
【図５】
2009034903.tif 000007
【図６】
2009034903.tif 000008
【図７】
2009034903.tif 000009
【図８】
2009034903.tif 000010
【図９】
2009034903.tif 000011
【図１０】
2009034903.tif 000012
【図１１】
2009034903.tif 000013
【図１２】
2009034903.tif 000014
【図１３】
2009034903.tif 000015
【図１４】
2009034903.tif 000016
【図１５】
2009034903.tif 000017
【図１６】
2009034903.tif 000018
【図１７】
2009034903.tif 000019
【図１８】
2009034903.tif 000020
【図１９】
2009034903.tif 000021
【図２０】
2009034903.tif 000022
【図２１】
2009034903.tif 000023
【図２２】
2009034903.tif 000024
【図２３】
2009034903.tif 000025
【図２４】
2009034903.tif 000026
【図２５】
2009034903.tif 000027
【図２６】
2009034903.tif 000028
【図２７】
2009034903.tif 000029
【図２８】
2009034903.tif 000030
【図２９】
2009034903.tif 000031
【図３０】
2009034903.tif 000032
【図３１】
2009034903.tif 000033
【図３２】
2009034903.tif 000034
【図３３】
2009034903.tif 000035
【図３４】
2009034903.tif 000036
【図３５】
2009034903.tif 000037
【図３６】
2009034903.tif 000038
【図３７】
2009034903.tif 000039
【図３８】
2009034903.tif 000040
【図３９】
2009034903.tif 000041
【図４０】
2009034903.tif 000042
【図４１】
2009034903.tif 000043
【図４２】
2009034903.tif 000044
【図４３】
2009034903.tif 000045
【図４４】
2009034903.tif 000046
【図４５】
2009034903.tif 000047
【図４６】
2009034903.tif 000048
【図４７】
2009034903.tif 000049
【図４８】
2009034903.tif 000050
【図４９】
2009034903.tif 000051
【図５０】
2009034903.tif 000052
【図５１】
2009034903.tif 000053
【図５２】
2009034903.tif 000054
【図５３】
2009034903.tif 000055
【図５４】
2009034903.tif 000056
【図５５】
2009034903.tif 000057
【図５６】
2009034903.tif 000058
【図５７】
2009034903.tif 000059
【図５８】
2009034903.tif 000060
【図５９】
2009034903.tif 000061
【図６０】
2009034903.tif 000062
【図６１】
2009034903.tif 000063
【図６２】
2009034903.tif 000064
【図６３】
2009034903.tif 000065
【図６４】
2009034903.tif 000066
【図６５】
2009034903.tif 000067
【図６６】
2009034903.tif 000068
【図６７】
2009034903.tif 000069
【図６８】
2009034903.tif 000070
【図６９】
2009034903.tif 000071
【図７０】
2009034903.tif 000072
【図７１】
2009034903.tif 000073
【図７２】
2009034903.tif 000074
【図７３】
2009034903.tif 000075
【図７４】
2009034903.tif 000076
【図７５】
2009034903.tif 000077
【図７６】
2009034903.tif 000078
【図７７】
2009034903.tif 000079
【図７８】
2009034903.tif 000080
【図７９】
2009034903.tif 000081
【図８０】
2009034903.tif 000082
【図８１】
2009034903.tif 000083
【図８２】
2009034903.tif 000084
【図８３】
2009034903.tif 000085
【図８４】
2009034903.tif 000086
【図８５】
2009034903.tif 000087
【図８６】
2009034903.tif 000088
【図８７】
2009034903.tif 000089
【図８８】
2009034903.tif 000090
【図８９】
2009034903.tif 000091
【図９０】
2009034903.tif 000092
【図９１】
2009034903.tif 000093
【図９２】
2009034903.tif 000094
【図９３】
2009034903.tif 000095
【図９４】
2009034903.tif 000096
【図９５】
2009034903.tif 000097
【図９６】
2009034903.tif 000098
【図９７】
2009034903.tif 000099
【図９８】
2009034903.tif 000100
【図９９】
2009034903.tif 000101
【図１００】
2009034903.tif 000102
【図１０１】
2009034903.tif 000103
【図１０２】
2009034903.tif 000104
【図１０３】
2009034903.tif 000105
【図１０４】
2009034903.tif 000106
【図１０５】
2009034903.tif 000107
【図１０６】
2009034903.tif 000108
【図１０７】
2009034903.tif 000109
【図１０８】
2009034903.tif 000110
【図１０９】
2009034903.tif 000111
【図１１０】
2009034903.tif 000112
【図１１１】
2009034903.tif 000113
【図１１２】
2009034903.tif 000114
【図１１３】
2009034903.tif 000115
【図１１４】
2009034903.tif 000116
【図１１５】
2009034903.tif 000117
【図１１６】
2009034903.tif 000118
【図１１７】
2009034903.tif 000119
【図１１８】
2009034903.tif 000120
【図１１９】
2009034903.tif 000121
【図１２０】
2009034903.tif 000122
【図１２１】
2009034903.tif 000123
【図１２２】
2009034903.tif 000124
【図１２３】
2009034903.tif 000125
【図１２４】
2009034903.tif 000126
【図１２５】
2009034903.tif 000127
【国際調査報告】
2009034903.tif 000128
2009034903.tif 000129
2009034903.tif 000130
2009034903.tif 000131